(57)【特許請求の範囲】
【請求項１】
無線ＬＡＮ（ＷＬＡＮ）においてフレームに利用されるパラメータを設定する方法であって、
ステーションが、チャネルアセスメントに利用されるクリアチャネルアセスメント（ｃｌｅａｒ  ｃｈａｎｎｅｌ  ａｓｓｅｓｓｍｅｎｔ：ＣＣＡ）の閾値を設定するステップであって、前記ＣＣＡの閾値は、前記ＣＣＡの閾値が隣接ベーシックサービスセット（ｂａｓｉｃ  ｓｅｒｖｉｃｅ  ｓｅｔ：ＢＳＳ）と重なるように位置する前記ステーションに利用されるか否かに基づいて異なって設定される、ステップと、
前記ステーションが、前記フレームに利用される送信電力を設定するステップであって、前記ＣＣＡの閾値が前記隣接ＢＢＳと重なるように位置する時、前記ＣＣＡの閾値が増加する場合、前記送信電力が前記送信電力の以前の値から減少するように設定し、前記ＣＣＡの閾値が減少する場合、前記送信電力が前記送信電力の以前の値から増加するように設定するように、前記ＣＣＡの閾値は、前記送信電力に基づいて設定される、ステップと、を含む、方法。
【請求項２】
媒体は前記ＣＣＡの閾値に基づいてアイドル又はビジーと決定される、請求項１に記載の方法。
【請求項３】
前記媒体がアイドルと決定されたときのみ、前記フレームは送信される、請求項２に記載の方法。
【請求項４】
前記ＣＣＡの閾値が前記隣接ＢＳＳと重なるように位置した前記ステーションのために利用され、前記送信電力がｘｄＢｍだけ減少するように設定されたとき、前記ＣＣＡはｘｄＢｍだけ減少する、請求項１に記載の方法。
【請求項５】
無線ＬＡＮ（ＷＬＡＮ）においてフレームで利用されるパラメータを設定するＳＴＡ（ｓｔａｔｉｏｎ）であって、
無線信号を送信または受信するように構成されたＲＦ（ｒａｄｉｏ  ｆｒｅｑｕｅｎｃｙ）部と、
前記ＲＦ部と動作可能に（ｏｐｅｒａｔｉｖｅｌｙ）連結されたプロセッサとを含み、
前記プロセッサは、チャネルアセスメントに利用されるクリアチャネルアセスメント（ｃｌｅａｒ  ｃｈａｎｎｅｌ  ａｓｓｅｓｓｍｅｎｔ：ＣＣＡ）の閾値を設定し、
前記ＣＣＡの閾値は、前記ＣＣＡの閾値が隣接ベーシックサービスセット（ｂａｓｉｃ  ｓｅｒｖｉｃｅ  ｓｅｔ：ＢＳＳ）と重なるように位置した前記ＳＴＡのために利用されるか否かに基づいて異なって設定され、
前記フレームのために利用される送信電力を設定し、前記ＣＣＡの閾値が前記隣接ＢＢＳと重なるように位置した前記ＳＴＡのために利用される時、前記ＣＣＡの閾値が増加する場合、前記送信電力が前記送信電力の以前の値から減少するように設定し、前記ＣＣＡの閾値が減少する場合、前記送信電力が前記送信電力の以前の値から増加するように設定するように、前記ＣＣＡの閾値は、前記送信電力に基づいて設定される、ＳＴＡ。
【請求項６】
媒体は前記ＣＣＡの閾値に基づいてアイドル又はビジーと決定される、請求項５に記載のＳＴＡ。
【請求項７】
前記媒体がアイドルと決定されたときのみ、前記フレームは送信される、請求項６に記載のＳＴＡ。
【請求項８】
前記ＣＣＡの閾値が前記隣接ＢＳＳと重なるように位置した前記ＳＴＡのために利用され、前記送信電力がｘｄＢｍだけ減少するように設定されたとき、前記ＣＣＡはｘｄＢｍだけ増加する、請求項５に記載のＳＴＡ。
【発明の詳細な説明】
【技術分野】
【０００１】
本発明は、無線通信に関し、より詳しくは、無線ＬＡＮにおけるフレームを送信する方法及び装置に関する。
【背景技術】
【０００２】
無線ＬＡＮシステムにおいて、複数のＳＴＡ（ｓｔａｔｉｏｎ）は、無線媒体を共有するための方法としてＤＣＦ（ｄｉｓｔｒｉｂｕｔｅｄ  ｃｏｏｒｄｉｎａｔｉｏｎ  ｆｕｎｃｔｉｏｎ）を使用することができる。ＤＣＦは、ＣＳＭＡ／ＣＡ（ｃａｒｒｉｅｒ  ｓｅｎｓｉｎｇ  ｍｕｌｔｉｐｌｅ  ａｃｃｅｓｓ  ｗｉｔｈ  ｃｏｌｌｉｓｉｏｎ  ａｖｏｉｄａｎｃｅ）に基づくチャネルアクセス方法である。
【０００３】
一般的に、ＤＣＦ接続環境下でＳＴＡが動作する時、ＤＩＦＳ（ＤＣＦ  ｉｎｔｅｒｆｒａｍｅ  ｓｐａｃｅ）期間以上に媒体が使用中でない場合（即ち、アイドル（ｉｄｌｅ）の場合）、ＳＴＡは、送信が間近に迫っているＭＰＤＵ（ＭＡＣ（ｍｅｄｉｕｍ  ａｃｃｅｓｓ  ｃｏｎｔｒｏｌ）ｐｒｏｔｏｃｏｌ  ｄａｔａ  ｕｎｉｔ）を送信することができる。搬送波検知メカニズム（ｃａｒｒｉｅｒ  ｓｅｎｓｉｎｇ  ｍｅｃｈａｎｉｓｍ）により媒体が使用中であると決定された場合、ＳＴＡは、ランダムバックオフアルゴリズム（ｒａｎｄｏｍ  ｂａｃｋｏｆｆ  ａｌｇｏｒｉｔｈｍ）によりＣＷ（ｃｏｎｔｅｎｔｉｏｎ  ｗｉｎｄｏｗ）のサイズを決定し、バックオフ手順を実行することができる。ＳＴＡは、バックオフ手順を実行するために、ＣＷ内のランダム値を選択し、選択されたランダム値に基づいてバックオフタイムを決定することができる。
【０００４】
複数のＳＴＡが媒体に接続しようとする場合、複数のＳＴＡのうち、最も短いバックオフタイムを有するＳＴＡが媒体に接続することができ、残りのＳＴＡは、残ったバックオフタイムを中止し、媒体に接続したＳＴＡの送信が完了する時まで待機できる。媒体に接続したＳＴＡのフレーム送信が完了した後、残りのＳＴＡは、再び残ったバックオフタイムを有してコンテンションを実行することで送信リソースを取得することができる。このような方式で、既存の無線ＬＡＮシステムでは、チャネルにアクセスしようとする複数のＳＴＡのうち一つのＳＴＡが全体送信リソースを占有してＡＰと通信を実行した。
【０００５】
無線ＬＡＮシステムにおいて、ＳＴＡは、ＣＣＡ（ｃｌｅａｒ  ｃｈａｎｎｅｌ  ａｓｓｅｓｓｍｅｎｔ）に基づいて媒体がビジーかアイドルかに対して決定できる。即ち、ＳＴＡのフレームの送信前に他のＳＴＡによる媒体の使用できるか否かに対する判断は、ＣＣＡに基づいて実行されることができる。媒体の使用できるか否かは、ＣＣＡ閾値（ｔｈｒｅｓｈｏｌｄ）を基準にして判断されることができる。ＳＴＡの物理層は、ＣＣＡを介して知るようになったチャネル状態に対する情報（媒体使用できるか否かに対する情報）をＳＴＡのＭＡＣ（ｍｅｄｉｕｍ  ａｃｃｅｓｓ  ｃｏｎｔｒｏｌ）階層に知らせることができる。
【発明の概要】
【発明が解決しようとする課題】
【０００６】
本発明の目的は、無線ＬＡＮにおけるフレームを送信する方法を提供することにある。
【０００７】
本発明の他の目的は、無線ＬＡＮにおけるフレームを送信する方法を実行する装置を提供することにある。
【課題を解決するための手段】
【０００８】
前述した本発明の目的を達成するための本発明の一側面による、無線ＬＡＮにおいてフレームを送信する方法は、ＴＰＣ（ｔｒａｎｓｍｉｔ  ｐｏｗｅｒ  ｃｏｎｔｒｏｌ）に基づいて動作するＳＴＡ（ｓｔａｔｉｏｎ）がＡＰ（ａｃｃｅｓｓ  ｐｏｉｎｔ）にＴＰＣ設定要求フレームを送信するステップであって、前記ＴＰＣ設定要求フレームは、前記ＳＴＡにより要求されたＴＰＣ  ＳＴＡ通信リソースに対する情報を含む、ステップと、前記ＳＴＡが前記ＴＰＣ設定要求フレームに対する応答として前記ＡＰからＴＰＣ設定応答フレームを受信するステップであって、前記ＴＰＣ設定応答フレームは、前記要求されたＴＰＣ  ＳＴＡ通信リソースの割当に対する情報を含む、ステップと、前記ＳＴＡが前記要求されたＴＰＣ  ＳＴＡ通信リソースを介して前記ＡＰに前記フレームを送信するステップとを含み、前記要求されたＴＰＣ  ＳＴＡ通信リソースは、前記ＴＰＣに基づいて動作しないｎｏｎ−ＴＰＣ  ＳＴＡによる使用が制限される。
【０００９】
前述した本発明の目的を達成するための本発明の他の側面による、無線ＬＡＮにおいてフレームを送信するＳＴＡ（ｓｔａｔｉｏｎ）は、無線信号を送信または受信するために具現されるＲＦ（ｒａｄｉｏ  ｆｒｅｑｕｅｎｃｙ）部と、前記ＲＦ部と動作可能に（ｏｐｅｒａｔｉｖｅｌｙ）連結されたプロセッサとを含み、前記プロセッサは、ＴＰＣ（ｔｒａｎｓｍｉｔ  ｐｏｗｅｒ  ｃｏｎｔｒｏｌ）ベースの動作のためにＡＰ（ａｃｃｅｓｓ  ｐｏｉｎｔ）にＴＰＣ設定要求フレームを送信し、前記ＴＰＣ設定要求フレームは、前記ＳＴＡにより要求されたＴＰＣ  ＳＴＡ通信リソースに対する情報を含み、前記ＴＰＣ設定要求フレームに対する応答として前記ＡＰからＴＰＣ設定応答フレームを受信し、前記ＴＰＣ設定応答フレームは、前記要求されたＴＰＣ  ＳＴＡ通信リソースの割当に対する情報を含み、前記要求されたＴＰＣ  ＳＴＡ通信リソースを介して前記ＡＰに前記フレームを送信するように具現され、前記要求されたＴＰＣ  ＳＴＡ通信リソースは、前記ＴＰＣに基づいて動作しないｎｏｎ−ＴＰＣ  ＳＴＡによる使用が制限される。
【発明の効果】
【００１０】
ＳＴＡの送信パワー及び／またはＣＣＡ閾値を調節して無線ＬＡＮ上でＳＴＡの通信効率を上げることができる。
【図面の簡単な説明】
【００１１】
【図１】無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【図２】隠れノード問題（ｈｉｄｄｅｎ  ｎｏｄｅ  ｉｓｓｕｅ）及びさらしノード問題（ｅｘｐｏｓｅｄ  ｎｏｄｅ  ｉｓｓｕｅ）を解決するためにＲＴＳフレーム及びＣＴＳフレームを使用する方法を示す概念図である。
【図３】既存の無線ＬＡＮシステムでＴＰＣにより発生しうる問題点を示す概念図である。
【図４】無線ＬＡＮシステムでＴＰＣが適用される場合、減少する干渉を示す概念図である。
【図５】本発明の実施例に係るＴＰＣベースのＳＴＡの動作を示す概念図である。
【図６】本発明の実施例に係るＴＰＣベースの動作に対する設定手順を示す概念図である。
【図７】本発明の実施例に係るＴＰＣ設定要求フレーム及びＴＰＣ設定応答フレームを示す概念図である。
【図８】本発明の実施例に係るＴＰＣベースの動作に対する設定手順を示す概念図である。
【図９】本発明の実施例に係るＴＰＣベースの動作に対する設定手順を示す概念図である。
【図１０】本発明の実施例に係るＴＰＣ設定要求フレーム及びＴＰＣ設定応答フレームを示す概念図である。
【図１１】本発明の実施例に係るＡＰのＣＣＡ閾値設定方法を示す概念図である。
【図１２】本発明の実施例に係るＡＰによるＳＴＡのＣＣＡ閾値及び送信範囲の調整方法を示す概念図である。
【図１３】本発明の実施例に係るＡＰによるＳＴＡのＣＣＡ閾値及び送信カバレッジの調整方法を示す概念図である。
【図１４】本発明の実施例に係るフレームの送信のためのＰＰＤＵフォーマットを示す概念図である。
【図１５】本発明の実施例が適用されることができる無線装置を示すブロック図である。
【発明を実施するための形態】
【００１２】
図１は、無線ＬＡＮ（ｗｉｒｅｌｅｓｓ  ｌｏｃａｌ  ａｒｅａ  ｎｅｔｗｏｒｋ、ＷＬＡＮ）の構造を示す概念図である。
【００１３】
図１の上段は、ＩＥＥＥ（ｉｎｓｔｉｔｕｔｅ  ｏｆ  ｅｌｅｃｔｒｉｃａｌ  ａｎｄ  ｅｌｅｃｔｒｏｎｉｃ  ｅｎｇｉｎｅｅｒｓ）８０２．１１のインフラストラクチャＢＳＳ（ｂａｓｉｃ  ｓｅｒｖｉｃｅ  ｓｅｔ）の構造を示す。
【００１４】
図１の上段を参照すると、無線ＬＡＮシステムは、一つまたはそれ以上のインフラストラクチャＢＳＳ１００、１０５（以下、ＢＳＳ）を含むことができる。ＢＳＳ１００、１０５は、成功裏に同期化されて互いに通信できるＡＰ（ａｃｃｅｓｓ  ｐｏｉｎｔ）１２５及びＳＴＡ１（Ｓｔａｔｉｏｎ）１００−１のようなＡＰとＳＴＡのセットであり、特定領域を示す概念ではない。ＢＳＳ１０５は、一つのＡＰ１３０に一つ以上の結合可能なＳＴＡ１０５−１、１０５−２を含むこともできる。
【００１５】
ＢＳＳは、少なくとも一つのＳＴＡ、分散サービス（Ｄｉｓｔｒｉｂｕｔｉｏｎ  Ｓｅｒｖｉｃｅ）を提供するＡＰ１２５、１３０及び複数のＡＰを連結させる分散システム（Ｄｉｓｔｒｉｂｕｔｉｏｎ  Ｓｙｓｔｅｍ、ＤＳ）１１０を含むことができる。
【００１６】
分散システム１１０は、複数のＢＳＳ１００、１０５を連結して拡張されたサービスセットであるＥＳＳ（ｅｘｔｅｎｄｅｄ  ｓｅｒｖｉｃｅ  ｓｅｔ）１４０を具現することができる。ＥＳＳ１４０は、一つまたは複数個のＡＰ１２５、２３０が分散システム１１０を介して連結されて構成された一つのネットワークを指示する用語として使われることができる。一つのＥＳＳ１４０に含まれるＡＰは、同じＳＳＩＤ（ｓｅｒｖｉｃｅ  ｓｅｔ  ｉｄｅｎｔｉｆｉｃａｔｉｏｎ）を有することができる。
【００１７】
ポータル（ｐｏｒｔａｌ）１２０は、無線ＬＡＮネットワーク（ＩＥＥＥ８０２．１１）と他のネットワーク（例えば、８０２．Ｘ）との連結を実行するブリッジ役割を遂行することができる。
【００１８】
図１の上段のようなＢＳＳでは、ＡＰ１２５、１３０間のネットワーク及びＡＰ１２５、１３０とＳＴＡ１００−１、１０５−１、１０５−２との間のネットワークが具現されることができる。しかし、ＡＰ１２５、１３０無しでＳＴＡ間でもネットワークを設定して通信を実行することも可能である。ＡＰ１２５、１３０無しでＳＴＡ間でもネットワークを設定して通信を実行するネットワークをアドホックネットワーク（Ａｄ−Ｈｏｃ  ｎｅｔｗｏｒｋ）または独立ＢＳＳ（ｉｎｄｅｐｅｎｄｅｎｔ  ｂａｓｉｃ  ｓｅｒｖｉｃｅ  ｓｅｔ）と定義する。
【００１９】
図１の下段は、独立ＢＳＳを示す概念図である。
【００２０】
図１の下段を参照すると、ＩＢＳＳは、アドホックモードで動作するＢＳＳである。ＩＢＳＳは、ＡＰを含まないため、中央で管理機能を遂行するエンティティ（ｃｅｎｔｒａｌｉｚｅｄ  ｍａｎａｇｅｍｅｎｔ  ｅｎｔｉｔｙ）がない。即ち、ＩＢＳＳにおいて、ＳＴＡ１５０−１、１５０−２、１５０−３、１５５−４、１５５−５は、分散された方式（ｄｉｓｔｒｉｂｕｔｅｄ  ｍａｎｎｅｒ）に管理される。ＩＢＳＳにおいて、全てのＳＴＡ１５０−１、１５０−２、１５０−３、１５５−４、１５５−５は、移動ＳＴＡからなることができ、分散システムへの接続が許容されなくて自己完備的ネットワーク（ｓｅｌｆ−ｃｏｎｔａｉｎｅｄ  ｎｅｔｗｏｒｋ）を構築する。
【００２１】
ＳＴＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理層（Ｐｈｙｓｉｃａｌ  Ｌａｙｅｒ）インターフェースを含む任意の機能媒体であり、広義では、ＡＰと非ＡＰ  ＳＴＡ（Ｎｏｎ−ＡＰ  Ｓｔａｔｉｏｎ）を両方とも含む意味として使われることができる。
【００２２】
ＳＴＡは、移動端末（ｍｏｂｉｌｅ  ｔｅｒｍｉｎａｌ）、無線機器（ｗｉｒｅｌｅｓｓ  ｄｅｖｉｃｅ）、無線送受信ユニット（Ｗｉｒｅｌｅｓｓ  Ｔｒａｎｓｍｉｔ／Ｒｅｃｅｉｖｅ  Ｕｎｉｔ；ＷＴＲＵ）、ユーザ装置（Ｕｓｅｒ  Ｅｑｕｉｐｍｅｎｔ；ＵＥ）、移動局（Ｍｏｂｉｌｅ  Ｓｔａｔｉｏｎ；ＭＳ）、モバイル加入者ユニット（Ｍｏｂｉｌｅ  Ｓｕｂｓｃｒｉｂｅｒ  Ｕｎｉｔ）または単純にユーザ（ｕｓｅｒ）などの多様な名称で呼ばれることもある。
【００２３】
図２は、隠れノード問題（ｈｉｄｄｅｎ  ｎｏｄｅ  ｉｓｓｕｅ）及びさらしノード問題（ｅｘｐｏｓｅｄ  ｎｏｄｅ  ｉｓｓｕｅ）を解決するためにＲＴＳフレーム及びＣＴＳフレームを使用する方法を示す概念図である。
【００２４】
図２を参照すると、隠れノード問題（ｈｉｄｄｅｎ  ｎｏｄｅ  ｉｓｓｕｅ）及びさらしノード問題（ｅｘｐｏｓｅｄ  ｎｏｄｅ  ｉｓｓｕｅ）を解決するために、ＲＴＳ（ｒｅｑｕｅｓｔ  ｔｏ  ｓｅｎｄ）フレームとＣＴＳ（ｃｌｅａｒ  ｔｏ  ｓｅｎｄ）フレームなどの短い信号送信フレーム（ｓｈｏｒｔ  ｓｉｇｎａｌｉｎｇ  ｆｒａｍｅ）が使われることができる。周囲のＳＴＡは、ＲＴＳフレーム及びＣＴＳフレームに基づいて二つのＳＴＡ間のデータ送信または受信可否に対して知ることができる。
【００２５】
図２の（Ａ）は、隠れノード問題（ｈｉｄｄｅｎ  ｎｏｄｅ  ｉｓｓｕｅ）を解決するために、ＲＴＳフレーム２０３及びＣＴＳフレーム２０５を送信する方法を示す。
【００２６】
ＳＴＡ  Ａ２００とＳＴＡ  Ｃ２２０の両方ともがＳＴＡ  Ｂ２１０にデータフレームを送信しようとする場合を仮定することができる。ＳＴＡ  Ａ２００は、データフレームの送信前、ＲＴＳフレーム２０３をＳＴＡ  Ｂ２１０に送信し、ＳＴＡ  Ｂ２１０は、ＣＴＳフレーム２０５をＳＴＡ  Ａ２００に送信することができる。ＳＴＡ  Ｃ２２０は、ＣＴＳフレーム２０５をオーバーヒアすることで、媒体を介したＳＴＡ  Ａ２００からＳＴＡ  Ｂ２１０へのフレームの送信を知ることができる。ＳＴＡ  Ｃ２２０は、ＳＴＡ  Ａ２００からＳＴＡ  Ｂ２１０へのデータフレームの送信が終わる時まで、ＮＡＶ（ｎｅｔｗｏｒｋ  ａｌｌｏｃａｔｉｏｎ  ｖｅｃｔｏｒ）を設定することができる。このような方法を使用することによって、隠れノードによるフレーム間の衝突（ｃｏｌｌｉｓｉｏｎ）が防止されることができる。
【００２７】
図２の（Ｂ）は、さらしノード問題（ｅｘｐｏｓｅｄ  ｎｏｄｅ  ｉｓｓｕｅ）を解決するために、ＲＴＳフレーム２３３及びＣＴＳフレーム２３５を送信する方法を示す。
【００２８】
ＳＴＡ  Ｃ２５０は、ＳＴＡ  Ａ２３０とＳＴＡ  Ｂ２４０のＲＴＳフレーム２３３及びＣＴＳフレーム２３５のモニタリングに基づいて他のＳＴＡ  Ｄ２６０にフレームを送信する時、衝突可否に対して決定できる。
【００２９】
ＳＴＡ  Ｂ２４０は、ＳＴＡ  Ａ２３０にＲＴＳフレーム２３３を送信し、ＳＴＡ  Ａ２３０は、ＣＴＳフレーム２３５をＳＴＡ  Ｂ２４０に送信できる。ＳＴＡ  Ｃ２５０は、ＳＴＡ  Ｂ２４０により送信されたＲＴＳフレーム２３３のみをオーバーヒアし、ＳＴＡ  Ａ２３０により送信されたＣＴＳフレーム２３５をオーバーヒアすることができなかった。したがって、ＳＴＡ  Ｃ２５０は、ＳＴＡ  Ａ２３０がＳＴＡ  Ｃ２５０のキャリアセンシング範囲（ｃａｒｒｉｅｒ  ｓｅｎｓｉｎｇ  ｒａｎｇｅ）外にあるということを知ることができる。したがって、ＳＴＡ  Ｃ２５０は、ＳＴＡ  Ｄ２６０にデータを送信することができる。
【００３０】
ＲＴＳフレームフォーマットとＣＴＳフレームフォーマットに対してはＩＥＥＥ  Ｐ８０２．１１−ＲＥＶｍｃＴＭ／Ｄ２．０、Ｏｃｔｏｂｅｒ２０１３の８．３．１．２  ＲＴＳ  ｆｒａｍｅ  ｆｏｒｍａｔ及び８．３．１．３  ＣＴＳ  ｆｒａｍｅ  ｆｏｒｍａｔに開示されている。
【００３１】
以下、本発明の実施例において、ＡＰからＳＴＡへの送信をダウンリンク送信と表現できる。ダウンリンク送信を介して送信されるＰＰＤＵ（ｐｈｙｓｉｃａｌ  ｌａｙｅｒ  ｐｒｏｔｏｃｏｌ  ｄａｔａ  ｕｎｉｔ）、フレーム及びデータの各々は、ダウンリンクＰＰＤＵ、ダウンリンクフレーム及びダウンリンクデータという用語で表現されることができる。ＰＰＤＵは、ＰＰＤＵヘッダとＰＳＤＵ（ｐｈｙｓｉｃａｌ  ｌａｙｅｒ  ｓｅｒｖｉｃｅ  ｄａｔａ  ｕｎｉｔ）（または、ＭＰＤＵ（ＭＡＣ  ｐｒｏｔｏｃｏｌ  ｄａｔａ  ｕｎｉｔ））を含むデータ単位である。ＰＰＤＵヘッダは、ＰＨＹヘッダとＰＨＹプリアンブルを含むことができ、ＰＳＤＵ（または、ＭＰＤＵ）は、フレームを含んだりフレームを指示したりすることができる。それに対し、ＳＴＡからＡＰへの送信は、アップリンク送信ということができる。アップリンク送信を介して送信されるＰＰＤＵ、フレーム及びデータの各々は、アップリンクＰＰＤＵ、アップリンクフレーム及びアップリンクデータという用語で表現されることができる。
【００３２】
既存の無線ＬＡＮシステムでは、送信パワー制御（ｔｒａｎｓｍｉｔ  ｐｏｗｅｒ  ｃｏｎｔｒｏｌ、ＴＰＣ）に対する関心が少なかった。スケジューリングでないコンテンションベースのアクセス（例えば、ＣＳＭＡ／ＣＡ（ｃａｒｒｉｅｒ  ｓｅｎｓｅ  ｍｕｌｔｉｐｌｅ  ａｃｃｅｓｓ  ｗｉｔｈ  ｃｏｌｌｉｓｉｏｎ  ａｖｏｉｄａｎｃｅ））を使用する無線ＬＡＮシステムの特性上、ＴＰＣにより発生できる副作用及び性能劣化がその理由であった。
【００３３】
図３は、既存の無線ＬＡＮシステムでＴＰＣにより発生できる問題点を示す概念図である。
【００３４】
図３を参照すると、ＴＰＣに基づいて動作するＳＴＡ１  ３１０は、送信パワーを制御して送信カバレッジを減少させることができる。ＢＳＳ内に含まれる他のＳＴＡであるＳＴＡ３  ３３０は、ＳＴＡ１  ３１０の減ったカバレッジにより、ＳＴＡ１  ３１０により送信されるパケット（または、アップリンクフレーム）を探知することができない。即ち、ＳＴＡ３  ３３０は、ＣＣＡに基づいてＳＴＡ１  ３１０によるチャネル占有をセンシングすることができない。ＳＴＡ３  ３３０は、ＳＴＡ１  ３１０による媒体占有を知ることができず、チャネルアクセスを実行することでＡＰ３００にアップリンクフレームを送信することができる。このような場合、ＡＰ３００でＳＴＡ１  ３１０により送信されたアップリンクフレームとＳＴＡ３  ３３０により送信されたアップリンクフレームとの間の衝突が発生しうる。
【００３５】
ＳＴＡ２  ３２０は、ＳＴＡ１  ３１０がＴＰＣに基づいて動作しない場合、チャネルアクセスを試みるＳＴＡである。ＳＴＡ１  ３１０が送信パワー制御（ＴＰＣ）を実行しない場合、ＳＴＡ２  ３２０は、ＳＴＡ１  ３１０による媒体占有をＣＣＡに基づいてセンシングすることができる。ＳＴＡ２  ３２０は、ＣＣＡベースのセンシング結果に基づいてチャネルアクセスを遅延することができる。
【００３６】
即ち、ＴＰＣベースの動作によりＳＴＡの送信カバレッジが減少する場合、フレーム間の衝突が発生されることができる。
【００３７】
図４は、無線ＬＡＮシステムでＴＰＣが適用される場合、減少する干渉を示す概念図である。
【００３８】
図４では、ＳＴＡのＴＰＣベースの動作可能な否かにより隣接ＢＳＳに発生しうる干渉が開示される。
【００３９】
図４を参照すると、ターゲットＢＳＳ内に含まれるＳＴＡ１  ４００がアップリンクフレームを送信する場合、ＳＴＡ１  ４００により送信されるアップリンクフレームは、ターゲットＢＳＳの隣接ＢＳＳに干渉として作用できる。
【００４０】
ＳＴＡ１  ４００がＴＰＣに基づいて動作する場合、ＳＴＡ１  ４００のアップリンクフレームの送信により発生しうる干渉の範囲は、ＴＰＣに基づいて動作しないＳＴＡ１  ４００のアップリンクフレームの送信により発生できる干渉の範囲より小さい。即ち、ＴＰＣが使われる場合、ＳＴＡ１  ４００による隣接ＢＳＳへの干渉を減少することができる。
【００４１】
ＴＰＣは、マルチセル（ｍｕｌｔｉ−ｃｅｌｌ）環境でＢＳＳ間の干渉を減らすことができる重要な技術のうち一つである。特に、ＴＰＣは、多くの数のＡＰと端末が共存する密集された配置（ｄｅｎｓｅ  ｄｅｐｌｏｙｍｅｎｔ）シナリオで必ず考慮すべき要素技術のうち一つである。
【００４２】
無線ＬＡＮシステムにおいて、ＣＳＭＡ−ＣＡに基づいてチャネルアクセスが実行される場合、ＳＴＡは、ＣＣＡ閾値（ｔｈｒｅｓｈｏｌｄ）に基づいて媒体の占有できるか否か（または、チャネルがビジーかアイドルか）を決定することができる。ＣＣＡ閾値は、システムで設定したＳＴＡ（または、ＡＰ）の最小受信端感度（ｍｉｎｉｍｕｍ  ｒｅｃｅｉｖｅｒ  ｓｅｎｓｉｔｉｖｉｔｙ）に基づいて設定されることができる。ＳＴＡは、媒体でセンシングされる信号の強度がＣＣＡ閾値より大きいまたは同じ場合、媒体の状態をビジー状態と決定できる。それに対し、ＳＴＡは、媒体でセンシングされる信号の強度がＣＣＡ閾値より小さい場合、媒体をアイドル状態と決定できる。
【００４３】
既存の無線ＬＡＮシステムでは、同じ帯域幅に対して、ＳＴＡは、全て同じＣＣＡ閾値に基づいて動作できる。このような無線ＬＡＮシステムでは、ＣＣＡ閾値が正確に設定されない場合、リソース活用性能（ｒｅｓｏｕｒｃｅ  ｕｓａｇｅ  ｃａｐａｂｉｌｉｔｙ）の側面でシステム性能に対する限界が発生しうる。
【００４４】
以下、本発明の実施例では、システムの性能を効果的に向上させることができるＴＰＣベースの動作方法及び／またはＣＣＡ閾値設定方法が開示される。
【００４５】
図５は、本発明の実施例に係るＴＰＣベースのＳＴＡの動作を示す概念図である。
【００４６】
図５では、ＴＰＣに基づいて動作するＳＴＡとＴＰＣに基づいて動作しないＳＴＡ（または、ｎｏｎ−ＴＰＣに基づいて動作するＳＴＡ）に対して別途の送信リソースを割り当てる方法が開示される。以下、ＴＰＣに基づいて動作するＳＴＡは、ＴＰＣ  ＳＴＡ５００という用語で表現され、ＴＰＣに基づいて動作しないＳＴＡは、ｎｏｎ−ＴＰＣ  ＳＴＡ５５０という用語で表現されることができる。
【００４７】
図５を参照すると、ＡＰは、ｎｏｎ−ＴＰＣ  ＳＴＡ５５０のための時間リソース（他の表現で、ｎｏｎ−ＴＰＣ  ＳＴＡの動作区間、ｎｏｎ−ＴＰＣ  ＳＴＡのチャネルアクセス区間またはｎｏｎ−ＴＰＣインターバル）と、ＴＰＣ  ＳＴＡ５００のための時間リソース（他の表現で、ＴＰＣ  ＳＴＡの動作区間、ＴＰＣ  ＳＴＡのチャネルアクセス区間またはＴＰＣインターバル）と、が重ならないように（または、分離されるように）設定できる。
【００４８】
以下、ｎｏｎ−ＴＰＣ  ＳＴＡ５５０のための時間リソースは、ｎｏｎ−ＴＰＣ  ＳＴＡ時間リソース５４０という用語で表現され、ＴＰＣ  ＳＴＡ５００のための時間リソースは、ＴＰＣ  ＳＴＡ時間リソース５２０という用語で表現されることができる。
【００４９】
ＡＰは、ＴＰＣ  ＳＴＡ時間リソース５２０を設定し、ＴＰＣ  ＳＴＡ時間リソース５２０に対する情報をＴＰＣ  ＳＴＡ５００及びｎｏｎ−ＴＰＣ  ＳＴＡ５５０に送信できる。ＴＰＣ  ＳＴＡ時間リソース５２０に対する情報を含むフレームは、ブロードキャストに基づいてＢＳＳ内のＳＴＡに送信されることができる。
【００５０】
ＴＰＣ  ＳＴＡ５００は、ＴＰＣ  ＳＴＡ時間リソース５２０上でチャネルアクセスを実行してＡＰと通信を実行し、ｎｏｎ−ＴＰＣ  ＳＴＡ５５０は、ｎｏｎ−ＴＰＣ  ＳＴＡ時間リソース５４０上でチャネルアクセスを実行してＡＰと通信を実行することができる。
【００５１】
具体的には、ＴＰＣ  ＳＴＡ５００は、ＡＰとＴＰＣベースの動作に対する設定手順を進行することができる。例えば、ＴＰＣベースの動作に対する設定手順を介してＴＰＣ  ＳＴＡ時間リソース５２０及びＴＰＣ  ＳＴＡの送信パワーが決定されることができる。ＴＰＣ  ＳＴＡ５００とＡＰとの間のＴＰＣベースの動作に対する設定手順の完了後、ＡＰは、ＴＰＣベースの動作に対する設定手順に基づいて設定されたＴＰＣベースの動作に関連している情報（例えば、ＴＰＣ  ＳＴＡ時間リソース情報、ＴＰＣ  ＳＴＡの送信パワー情報）をＢＳＳ内の複数のＳＴＡにブロードキャスト方法を使用して送信できる。例えば、ＡＰにより送信されるビーコンフレーム５１０は、ＴＰＣベースの動作に関連している情報を含むことができる。
【００５２】
図６は、本発明の実施例に係るＴＰＣベースの動作に対する設定手順を示す概念図である。
【００５３】
以下、ＴＰＣベースの動作に対する設定手順でＴＰＣ  ＳＴＡ時間リソース及びＴＰＣ  ＳＴＡの送信パワーが決定される方法に対して開示するが、ＴＰＣ  ＳＴＡ時間リソース及びＴＰＣ  ＳＴＡの送信パワーのうち一つのみがＴＰＣベースの動作に対する設定手順を介して決定されることもできる。
【００５４】
図６を参照すると、ＴＰＣ  ＳＴＡは、ＴＰＣ設定要求フレーム（または、ＴＰＣインターバル要求フレーム）６００を送信することができる。ＴＰＣ設定要求フレーム６００は、ＴＰＣ  ＳＴＡにより要求されるＴＰＣ  ＳＴＡ時間リソースに対する情報及びＴＰＣ  ＳＴＡの送信パワーに対する情報を含むことができる。ＴＰＣ  ＳＴＡは、アップリンクフレームの送信のために使用するＴＰＣ  ＳＴＡ時間リソース及びＴＰＣ  ＳＴＡの送信パワーを決定し、ＴＰＣ  ＳＴＡにより要求されるＴＰＣ  ＳＴＡ時間リソースに対する情報及びＴＰＣ  ＳＴＡの送信パワーに対する情報を含むＴＰＣ設定要求フレーム６００を送信することができる。
【００５５】
ＴＰＣ設定要求フレーム６００は、ＲＴＳフレームであり、ＴＰＣ  ＳＴＡ時間リソースに対する情報及び／またはＴＰＣ  ＳＴＡの送信パワーに対する情報がＲＴＳフレームに含まれて送信されることもできる。
【００５６】
ＡＰは、ＴＰＣ設定要求フレーム６００に対する応答としてＴＰＣ設定応答フレーム６２０をＳＴＡに送信できる。ＴＰＣ設定応答フレーム６２０は、ＴＰＣ設定要求フレーム６００により要求されたＴＰＣ  ＳＴＡ時間リソース及びＴＰＣ  ＳＴＡの送信パワーに対して受諾／拒絶／アップデートできるか否かに対する情報を含むことができる。ＡＰがＴＰＣ設定要求フレーム６００により要求されたＴＰＣ  ＳＴＡ時間リソース及びＴＰＣ  ＳＴＡの送信パワーに対してアップデートを決定した場合、ＡＰにより決定されたＴＰＣ  ＳＴＡ時間リソース及び／またはＴＰＣ  ＳＴＡの送信パワーに対する情報がＴＰＣ設定応答フレーム６２０に含まれることができる。
【００５７】
ＡＰは、ＴＰＣ設定要求フレーム６００により要求されたＴＰＣ  ＳＴＡ時間リソース及びＴＰＣ  ＳＴＡの送信パワーに対して受諾／拒絶／アップデートできるか否かを決定するために、ＳＴＡとＡＰとの間のチャネル環境を考慮することができる。
【００５８】
例えば、ＡＰは、ＴＰＣ設定要求フレーム６００に対するＳＴＡの送信パワーとＴＰＣ設定要求フレーム６００に対するＡＰの受信パワー（または、実際測定パワー）（例えば、ｒｅｃｅｉｖｅｄ  ＳＩＮＲ（ｓｉｇｎａｌ  ｔｏ  ｉｎｔｅｒｆｅｒｅｎｃｅ  ｐｌｕｓ  ｎｏｉｓｅ  ｒａｔｉｏ）（または、ＲＳＳＩ（ｒｅｃｅｉｖｅｄ  ｓｉｇｎａｌ  ｓｔｒｅｎｇｔｈ）ｉｎｄｉｃａｔｉｏｎ））に基づいてＴＰＣ設定要求フレーム６００により要求されたＴＰＣ  ＳＴＡ時間リソース及びＴＰＣ  ＳＴＡの送信パワーに対して受諾／拒絶／アップデートできるか否かを決定することができる。
【００５９】
ＡＰは、ＴＰＣ設定要求フレーム６００により要求されたＴＰＣ  ＳＴＡ時間リソース及びＴＰＣ  ＳＴＡの送信パワーに対して受諾を決定した場合、受諾を指示する情報を含むＴＰＣ設定応答フレーム６２０をＳＴＡに送信できる。このような場合、ＳＴＡは、設定要求フレーム６００により要求されたＴＰＣ  ＳＴＡ時間リソース及びＴＰＣ  ＳＴＡの送信パワーに基づいて動作できる。
【００６０】
ＡＰは、ＴＰＣ設定要求フレーム６００により要求されたＴＰＣ  ＳＴＡ時間リソース及びＴＰＣ  ＳＴＡの送信パワーに対してアップデートを決定した場合、アップデートを指示する情報及びＡＰにより決定された（アップデートされた）ＴＰＣ  ＳＴＡ時間リソース及び／またはＴＰＣ  ＳＴＡの送信パワーを含むＴＰＣ設定応答フレーム６２０をＳＴＡに送信できる。このような場合、ＳＴＡは、ＡＰにより決定された（アップデートされた）ＴＰＣ  ＳＴＡ時間リソース及び／またはＴＰＣ  ＳＴＡの送信パワーに基づいて動作できる。ＴＰＣ  ＳＴＡ時間リソース及びＴＰＣ  ＳＴＡの送信パワーのうち一つのみがＡＰによりアップデートされた場合、残りの一つは、ＴＰＣ設定要求フレーム６００により要求されたように決定されることができる。
【００６１】
ＡＰは、ＴＰＣ設定要求フレーム６００により要求されたＴＰＣ  ＳＴＡ時間リソース及びＴＰＣ  ＳＴＡの送信パワーに対して拒絶を決定した場合、拒絶を指示する情報を含むＴＰＣ設定応答フレーム６２０をＳＴＡに送信できる。このような場合、ＳＴＡは、ＴＰＣベースの動作を実行せず、ｎｏｎ−ＴＰＣに基づいて動作できる。
【００６２】
ＡＰがＴＰＣ設定要求フレーム６００により要求されたＴＰＣ  ＳＴＡ時間リソース及びＴＰＣ  ＳＴＡの送信パワーに対して受諾またはアップデートを決定した場合、ＡＰは、ＢＳＳ内のＳＴＡにＴＰＣ  ＳＴＡ時間リソース及びＴＰＣ  ＳＴＡの送信パワーに対する情報をブロードキャストに基づいて送信できる。例えば、パッシブスキャニングのためにＡＰにより周期的に送信されるビーコンフレーム６４０は、ＴＰＣ  ＳＴＡ時間リソース及びＴＰＣ  ＳＴＡの送信パワーに対する情報を含むことができる。ビーコンフレーム６４０を受信したＢＳＳ内のｎｏｎ−ＴＰＣ端末がＴＰＣ  ＳＴＡ時間リソース上でチャネルアクセス及びアップリンクフレームの送信を実行しない。
【００６３】
具体的には、ＴＰＣ  ＳＴＡとＴＰＣベースの動作に対する設定手順を終了した後、ＡＰは、ＢＳＳ内にＴＰＣ  ＳＴＡ時間リソースに対する情報（ＴＰＣ時間リソースの開始時間、ＴＰＣ時間リソースの終了時間、ＴＰＣ時間リソースのデュレーション等）及びＴＰＣ  ＳＴＡの送信パワーに対する情報を含むフレームをブロードキャスト方法で送信できる。
【００６４】
本発明の実施例によると、ＡＰとＳＴＡは、初期アクセス手順でＴＰＣベースの動作に対するサポート可否を交渉（ｎｅｇｏｔｉａｔｉｏｎ）（または、確認）することができる。
【００６５】
例えば、結合手順（ａｓｓｏｃｉａｔｉｏｎ  ｐｒｏｃｅｄｕｒｅ）でＴＰＣベースの動作が可能なＴＰＣ  ＳＴＡにより送信される結合要求フレーム（ａｓｓｏｃｉａｔｉｏｎ  ｒｅｑｕｅｓｔ  ｆｒａｍｅ）は、ＴＰＣベースの動作に対する能力（ｃａｐａｂｉｌｉｔｙ）に対する情報を含むことができる。ＡＰは、結合要求フレームに対する応答として送信される結合応答フレームにＴＰＣベースの動作の可能（または、サポート）であるか否かに対する情報を含んでＳＴＡに送信できる。
【００６６】
ＡＰ（または、ＢＳＳ）でＴＰＣベースの動作がサポートされない場合、ＴＰＣ  ＳＴＡは、ＴＰＣベースの動作を実行することができず、ｎｏｎ−ＴＰＣに基づいて動作できる。ｎｏｎ−ＴＰＣに基づいて動作するＴＰＣ  ＳＴＡは、送信パワーを制御せず、ｎｏｎ−ＴＰＣ  ＳＴＡと重なった時間リソース上でチャネルアクセスを実行することができる。または、ＡＰ（または、ＢＳＳ）でＴＰＣベースの動作がサポートされない場合、ＴＰＣ  ＳＴＡは、ＴＰＣベースの動作をサポートする他のＡＰ（または、他のＢＳＳ）をスキャニングすることができる。
【００６７】
他の方法として、ＡＰは、ビーコンフレームを介してＡＰによる（または、ＢＳＳ内で）ＴＰＣベースの動作のサポートできるか否かに対する情報を送信することができる。ＡＰは、アクティブスキャニングを実行することで、ビーコンフレームを受信しないＳＴＡに対しては、プローブ要求フレームに対する応答として送信されるプローブ応答フレームを介してＴＰＣベースの動作のサポートできるか否かに対する情報を送信することができる。
【００６８】
図７は、本発明の実施例に係るＴＰＣ設定要求フレーム及びＴＰＣ設定応答フレームを示す概念図である。
【００６９】
図７の上段を参照すると、ＴＰＣ設定要求フレームは、ＴＰＣ時間リソース要求フィールド７００及びＴＰＣ送信パワー要求フィールド７２０を含むことができる。
【００７０】
ＴＰＣ時間リソース要求フィールド７００は、ＴＰＣ  ＳＴＡにより要求されるＴＰＣ  ＳＴＡ時間リソースに対する情報を含むことができる。例えば、ＴＰＣ時間リソース要求フィールド７００は、ＴＰＣ時間リソースの開始時間、ＴＰＣ時間リソースの終了時間、ＴＰＣ時間リソースのデュレーションなどに対する情報を含むことができる。
【００７１】
ＴＰＣ送信パワー要求フィールド７２０は、ＴＰＣ  ＳＴＡにより要求される送信パワーに対する情報を含むことができる。
【００７２】
図７の下段を参照すると、ＴＰＣ設定応答フレームは、ＴＰＣ動作設定フィールド７４０を含むことができる。ＴＰＣ動作設定フィールド７４０は、ＴＰＣ設定要求フレームにより要求されたＴＰＣ  ＳＴＡ時間リソース及びＴＰＣ  ＳＴＡの送信パワーに対する受諾／拒絶／アップデートできるか否かを指示する情報を含むことができる。
【００７３】
ＴＰＣ動作設定フィールド７４０がＴＰＣ設定要求フレームにより要求されたＴＰＣ  ＳＴＡ時間リソースまたはＴＰＣ  ＳＴＡの送信パワーに対するアップデートを指示する場合、アップデートＴＰＣ設定情報フィールド７６０は、アップデートされた（または、ＡＰにより決定された）ＴＰＣ  ＳＴＡ時間リソースまたはＴＰＣ  ＳＴＡの送信パワーに対する情報を含むことができる。
【００７４】
ＴＰＣ動作設定フィールド７４０がＴＰＣ設定要求フレームにより要求されたＴＰＣ  ＳＴＡ時間リソース及びＴＰＣ  ＳＴＡの送信パワーに対する受諾または拒絶を指示する場合、アップデートＴＰＣ設定情報フィールド７６０は、ヌルデータ（ｎｕｌｌ  ｄａｔａ）を含むことができる。
【００７５】
図８は、本発明の実施例に係るＴＰＣベースの動作に対する設定手順を示す概念図である。
【００７６】
図８では、ＴＰＣ  ＳＴＡ８００とｎｏｎ−ＴＰＣ  ＳＴＡ８５０に対する別途の送信リソースの割当方法が開示される。
【００７７】
図８を参照すると、ＴＰＣ  ＳＴＡ８００の動作チャネル（動作周波数リソースまたは動作サブバンド）と、ｎｏｎ−ＴＰＣ  ＳＴＡ８５０の動作チャネル（動作周波数リソースまたは動作サブバンド）と、が互いに異なるように設定されることができる。ＡＰは、ｎｏｎ−ＴＰＣ  ＳＴＡ８５０のためのチャネルとＴＰＣ  ＳＴＡ８００のためのチャネルとが重ならないように（または、分離されるように）設定できる。
【００７８】
以下、ｎｏｎ−ＴＰＣ  ＳＴＡ８５０のためのチャネルは、ｎｏｎ−ＴＰＣ  ＳＴＡチャネル８４０という用語で表現され、ＴＰＣ  ＳＴＡ８００のためのチャネルは、ＴＰＣ  ＳＴＡチャネル８２０という用語で表現されることができる。
【００７９】
ＡＰは、ＴＰＣ  ＳＴＡチャネル８２０を設定し、ＴＰＣ  ＳＴＡチャネル８２０に対する情報（例えば、チャネルインデックス情報）をＴＰＣ  ＳＴＡ８００及びｎｏｎ−ＴＰＣ  ＳＴＡ８５０に送信できる。ＴＰＣ  ＳＴＡチャネル８２０に対する情報を含むフレームは、ブロードキャストに基づいてＢＳＳ内のＳＴＡに送信されることができる。
【００８０】
ＴＰＣ  ＳＴＡ８００は、ＴＰＣ  ＳＴＡチャネル８２０を介してチャネルアクセスをしてＡＰと通信を実行し、ｎｏｎ−ＴＰＣ  ＳＴＡ８５０は、ｎｏｎ−ＴＰＣ  ＳＴＡチャネル８４０を介してチャネルアクセスをしてＡＰと通信を実行することができる。ＴＰＣ  ＳＴＡ８００またはｎｏｎ−ＴＰＣ  ＳＴＡ８５０の動作途中、ＴＰＣ  ＳＴＡチャネル８２０またはｎｏｎ−ＴＰＣ  ＳＴＡチャネル８４０が変更されることもできる。このような場合、ＴＰＣ  ＳＴＡ８００またはｎｏｎ−ＴＰＣ  ＳＴＡ８５０は、チャネルスイッチ通知フレームを送信し、設定されたＴＰＣ  ＳＴＡチャネル８２０またはｎｏｎ−ＴＰＣ  ＳＴＡチャネル８４０にスイッチング（または、ジャンピング（ｊｕｍｐｉｎｇ））してスキャニング動作を実行することもできる。ＴＰＣ  ＳＴＡチャネル８２０上でＡＰとＴＰＣ  ＳＴＡ８００との通信、及びｎｏｎ−ＴＰＣ  ＳＴＡチャネル８４０上でＡＰとｎｏｎ−ＴＰＣ  ＳＴＡ８５０との通信は、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）に基づいて重なった時間リソース上で実行されることができる。ＡＰは、ＯＦＤＭＡに基づいてＴＰＣ  ＳＴＡチャネル８２０を介してＴＰＣ  ＳＴＡ８００にダウンリンクフレームを送信し、ｎｏｎ−ＴＰＣ  ＳＴＡチャネル８４０を介してＴＰＣ  ＳＴＡ８００にダウンリンクフレームを送信することができる。
【００８１】
ｎｏｎ−ＴＰＣ  ＳＴＡ８５０は、ＡＰのプライマリチャネル（ｐｒｉｍａｒｙ  ｃｈａｎｎｅｌ）を介して（または、プライマリチャネルを含むチャネル上で）チャネル接続及びアップリンクフレームを送信することができる。このような場合、ＴＰＳ  ＳＴＡチャネル８２０がプライマリチャネルでないノンプライマリチャネル（ｎｏｎ−ｐｒｉｍａｒｙ  ｃｈａｎｎｅｌ）（または、セカンダリチャネル（ｓｅｃｏｎｄａｒｙ  ｃｈａｎｎｅｌ）のうち一つ）として設定されることができる。
【００８２】
ＴＰＣ  ＳＴＡ８００のＴＰＣ  ＳＴＡチャネル８２０上での動作のために、ＴＰＣ  ＳＴＡ８００は、ＡＰとＴＰＣベースの動作に対する設定手順を進行することができる。例えば、ＴＰＣベースの動作に対する設定手順を介して、ＴＰＣ  ＳＴＡチャネル８２０及びＴＰＣ  ＳＴＡ８００の送信パワーが決定されることができる。ＴＰＣ  ＳＴＡ８００とＡＰとの間のＴＰＣベースの動作に対する設定手順の完了後、ＡＰは、ＴＰＣベースの動作に対する設定手順に基づいて設定されたＴＰＣベースの動作に関連している情報（例えば、ＴＰＣ  ＳＴＡチャネル情報、ＴＰＣ  ＳＴＡの送信パワー情報）をＢＳＳ内の複数のＳＴＡにブロードキャスト方法を使用して送信できる。
【００８３】
本発明の実施例によると、ＴＰＣベースの動作をサポートする時間区間に対する設定も実行されることができる。ＴＰＣベースの動作をサポートする時間区間でのみＴＰＣ  ＳＴＡ８００とｎｏｎ−ＴＰＣ  ＳＴＡ８５０が互いに異なるチャネル上で動作できる。このような場合、ＴＰＣ  ＳＴＡ８００は、ＡＰとＴＰＣベースの動作に対する設定手順を実行する時、ＴＰＣベースの動作をサポートする時間区間に対する設定も共に実行することができる。
【００８４】
図９は、本発明の実施例に係るＴＰＣベースの動作に対する設定手順を示す概念図である。
【００８５】
以下、ＴＰＣベースの動作に対する設定手順でＴＰＣ  ＳＴＡチャネル及びＴＰＣ  ＳＴＡの送信パワーが決定される方法に対して開示するが、ＴＰＣ  ＳＴＡチャネル及びＴＰＣ  ＳＴＡの送信パワーのうち一つのみがＴＰＣベースの動作に対する設定手順を介して決定されることもできる。
【００８６】
図９を参照すると、ＴＰＣ  ＳＴＡは、ＴＰＣ設定要求フレーム９００（または、ＴＰＣチャネル要求フレーム）を送信することができる。ＴＰＣ設定要求フレーム９００は、ＴＰＣ  ＳＴＡにより要求されるＴＰＣ  ＳＴＡチャネルに対する情報及びＴＰＣ  ＳＴＡの送信パワーに対する情報を含むことができる。ＴＰＣ  ＳＴＡは、アップリンクフレームの送信のために使用するＴＰＣ  ＳＴＡチャネル及びＴＰＣ  ＳＴＡの送信パワーを決定し、ＴＰＣ  ＳＴＡにより要求されるＴＰＣ  ＳＴＡチャネルに対する情報及びＴＰＣ  ＳＴＡの送信パワーに対する情報を含むＴＰＣ設定要求フレーム９００を送信することができる。
【００８７】
ＴＰＣ設定要求フレーム９００は、ＲＴＳフレームであり、ＴＰＣ  ＳＴＡチャネルに対する情報及び／またはＴＰＣ  ＳＴＡの送信パワーに対する情報がＲＴＳフレームに含まれて送信されることもできる。
【００８８】
ＡＰは、ＴＰＣ設定要求フレーム９００に対する応答としてＴＰＣ設定応答フレーム９２０をＳＴＡに送信できる。ＴＰＣ設定応答フレーム９２０は、ＴＰＣ設定要求フレームにより要求されたＴＰＣ  ＳＴＡチャネル及びＴＰＣ  ＳＴＡの送信パワーに対して受諾／拒絶／アップデートできるか否かに対する情報を含むことができる。ＡＰがＴＰＣ設定要求フレーム９００により要求されたＴＰＣ  ＳＴＡチャネル及びＴＰＣ  ＳＴＡの送信パワーに対してアップデートを決定した場合、ＡＰにより決定されたＴＰＣ  ＳＴＡチャネル及び／またはＴＰＣ  ＳＴＡの送信パワーに対する情報がＴＰＣ設定応答フレーム９２０に含まれることができる。
【００８９】
ＡＰは、ＴＰＣ設定要求フレーム９００により要求されたＴＰＣ  ＳＴＡチャネル及びＴＰＣ  ＳＴＡの送信パワーに対して受諾／拒絶／アップデートできるか否かを決定するために、ＳＴＡとＡＰとの間のチャネル環境を考慮することができる。
【００９０】
例えば、ＡＰは、ＴＰＣ設定要求フレーム９００の送信パワーとＴＰＣ設定要求フレーム９００の受信パワー（または、実際の測定パワー）（例えば、ｒｅｃｅｉｖｅｄ  ＳＩＮＲ（ｓｉｇｎａｌ  ｔｏ  ｉｎｔｅｒｆｅｒｅｎｃｅ  ｐｌｕｓ  ｎｏｉｓｅ  ｒａｔｉｏ）（または、ＲＳＳＩ（ｒｅｃｅｉｖｅｄ  ｓｉｇｎａｌ  ｓｔｒｅｎｇｔｈ）ｉｎｄｉｃａｔｉｏｎ））に基づいてＴＰＣ設定要求フレームにより要求されたＴＰＣ  ＳＴＡチャネル及びＴＰＣ  ＳＴＡの送信パワーに対して受諾／拒絶／アップデートできるか否かを決定することができる。
【００９１】
ＡＰは、ＴＰＣ設定要求フレーム９００により要求されたＴＰＣ  ＳＴＡチャネル及びＴＰＣ  ＳＴＡの送信パワーに対して受諾を決定した場合、受諾を指示する情報を含むＴＰＣ設定応答フレーム９２０をＳＴＡに送信できる。このような場合、ＳＴＡは、設定要求フレーム９００により要求されたＴＰＣ  ＳＴＡチャネル及びＴＰＣ  ＳＴＡの送信パワーに基づいて動作できる。
【００９２】
ＡＰは、ＴＰＣ設定要求フレーム９００により要求されたＴＰＣ  ＳＴＡチャネル及びＴＰＣ  ＳＴＡの送信パワーに対してアップデートを決定した場合、アップデートを指示する情報及びＡＰにより決定された（アップデートされた）ＴＰＣ  ＳＴＡチャネル及び／またはＴＰＣ  ＳＴＡの送信パワーを含むＴＰＣ設定応答フレーム９２０をＳＴＡに送信できる。このような場合、ＳＴＡは、ＡＰにより決定された（アップデートされた）ＴＰＣ  ＳＴＡチャネル及び／またはＴＰＣ  ＳＴＡの送信パワーに基づいて動作できる。ＴＰＣ  ＳＴＡチャネル及びＴＰＣ  ＳＴＡの送信パワーのうち一つのみがＡＰによりアップデートされた場合、残りの一つは、ＴＰＣ設定要求フレーム９００により要求されたように決定されることができる。
【００９３】
ＡＰは、ＴＰＣ設定要求フレーム９００により要求されたＴＰＣ  ＳＴＡチャネル及びＴＰＣ  ＳＴＡの送信パワーに対して拒絶を決定した場合、拒絶を指示する情報を含むＴＰＣ設定応答フレーム９２０をＳＴＡに送信できる。このような場合、ＳＴＡは、ＴＰＣベースの動作を実行せず、ｎｏｎ−ＴＰＣに基づいて動作できる。
【００９４】
ＡＰがＴＰＣ設定要求フレーム９００により要求されたＴＰＣ  ＳＴＡチャネル及びＴＰＣ  ＳＴＡの送信パワーに対して受諾またはアップデートを決定した場合、ＡＰは、ＢＳＳ内のＳＴＡにＴＰＣ  ＳＴＡチャネル及びＴＰＣ  ＳＴＡの送信パワーに対する情報をブロードキャストに基づいて送信できる。例えば、パッシブスキャニングのためにＡＰにより周期的に送信されるビーコンフレーム９４０は、ＴＰＣ  ＳＴＡチャネル及びＴＰＣ  ＳＴＡの送信パワーに対する情報を含むことができる。ビーコンフレーム９４０を受信したＢＳＳ内のｎｏｎ−ＴＰＣ端末がＴＰＣ  ＳＴＡチャネル上でチャネルアクセス及びアップリンクフレームの送信を実行しない。
【００９５】
具体的には、ＴＰＣ  ＳＴＡとＴＰＣベースの動作に対する設定手順を終了した後、ＡＰは、ＢＳＳ内にＴＰＣ  ＳＴＡチャネルに対する情報（ＴＰＣチャネルインデックス等）及びＴＰＣ  ＳＴＡの送信パワーに対する情報を含むフレームをブロードキャスト方法で送信できる。
【００９６】
同様に、本発明の実施例によると、ＡＰとＳＴＡは、初期アクセス手順でＴＰＣベースの動作に対するサポートできるか否かを交渉（または、確認）することができる。
【００９７】
例えば、結合手順でＴＰＣベースの動作が可能なＴＰＣ  ＳＴＡにより送信される結合要求フレームは、ＴＰＣベースの動作に対する能力に対する情報を含むことができる。ＡＰは、結合要求フレームに対する応答として送信される結合応答フレームにＴＰＣベースの動作が可能（または、サポート）可能か否かに対する情報を含んでＳＴＡに送信できる。
【００９８】
ＡＰ（または、ＢＳＳ）でＴＰＣベースの動作がサポートされない場合、ＴＰＣ  ＳＴＡは、ＴＰＣベースの動作を実行することができず、ｎｏｎ−ＴＰＣに基づいて動作できる。ｎｏｎ−ＴＰＣに基づいて動作するＴＰＣ  ＳＴＡは、送信パワーを制御せず、ｎｏｎ−ＴＰＣ  ＳＴＡと重なった時間リソース上でチャネルアクセスを実行することができる。または、ＡＰ（または、ＢＳＳ）でＴＰＣベースの動作がサポートされない場合、ＴＰＣ  ＳＴＡは、ＴＰＣベースの動作をサポートする他のＡＰ（または、他のＢＳＳ）をスキャニングすることができる。
【００９９】
他の方法として、ＡＰは、ビーコンフレームを介してＡＰによる（または、ＢＳＳ内で）ＴＰＣベースの動作のサポートできるか否かに対する情報を送信することができる。ＡＰは、アクティブスキャニングを実行することで、ビーコンフレームを受信しないＳＴＡに対しては、プローブ要求フレームに対する応答として送信されるプローブ応答フレームを介してＴＰＣベースの動作のサポートできるか否かに対する情報を送信することができる。
【０１００】
本発明の実施例によると、ＴＰＣベースの動作に対する設定手順を実行する時、ＴＰＣベースの動作をサポートする時間区間に対する設定も共に実行することができる。このような場合、ＴＰＣ設定要求フレームは、要求されるＴＰＣ  ＳＴＡ時間リソースに対する情報をさらに含むことができ、ＴＰＣ設定応答フレームは、要求されるＴＰＣ  ＳＴＡ時間リソースに対する受諾／拒絶／アップデータできるか否かに対する情報を含むことができる。
【０１０１】
また、ＴＰＣ  ＳＴＡとＴＰＣベースの動作に対する設定手順を終了した後、ＡＰは、ＢＳＳ内にＴＰＣ  ＳＴＡチャネルに対する情報（ＴＰＣチャネルインデックス等）、ＴＰＣ  ＳＴＡ時間リソースに対する情報（ＴＰＣ時間リソースの開始時間、ＴＰＣ時間リソースの終了時間、ＴＰＣ時間リソースのデュレーション等）及びＴＰＣ  ＳＴＡの送信パワーに対する情報を含むフレームをブロードキャスト方法で送信できる。
【０１０２】
図１０は、本発明の実施例に係るＴＰＣ設定要求フレーム及びＴＰＣ設定応答フレームを示す概念図である。
【０１０３】
図１０の上段を参照すると、ＴＰＣ設定要求フレームは、ＴＰＣチャネル要求フィールド１０００及びＴＰＣ送信パワー要求フィールド１０２０を含むことができる。
【０１０４】
ＴＰＣチャネル要求フィールド１０００は、ＴＰＣ  ＳＴＡにより要求されるＴＰＣ  ＳＴＡチャネルに対する情報を含むことができる。例えば、ＴＰＣチャネル要求フィールド１０００は、ＴＰＣ  ＳＴＡチャネルを指示するチャネルインデックス情報を含むことができる。
【０１０５】
ＴＰＣ送信パワー要求フィールド１０２０は、ＴＰＣ  ＳＴＡにより要求される送信パワーに対する情報を含むことができる。
【０１０６】
図１０の下段を参照すると、ＴＰＣ設定応答フレームは、ＴＰＣ動作設定フィールド１０４０を含むことができる。ＴＰＣ動作設定フィールド１０４０は、ＴＰＣ設定要求フレームにより要求されたＴＰＣ  ＳＴＡチャネルリソース及びＴＰＣ  ＳＴＡの送信パワーに対する受諾／拒絶／アップデートできるか否かを指示する情報を含むことができる。
【０１０７】
ＴＰＣ動作設定フィールド１０４０がＴＰＣ設定要求フレームにより要求されたＴＰＣ  ＳＴＡチャネルリソースまたはＴＰＣ  ＳＴＡの送信パワーに対するアップデートを指示する場合、アップデートＴＰＣ設定情報フィールド１０６０は、アップデートされた（または、ＡＰにより決定された）ＴＰＣ  ＳＴＡチャネルまたはＴＰＣ  ＳＴＡの送信パワーに対する情報を含むことができる。
【０１０８】
ＴＰＣ動作設定フィールド１０４０がＴＰＣ設定要求フレームにより要求されたＴＰＣ  ＳＴＡチャネル及びＴＰＣ  ＳＴＡの送信パワーに対する受諾または拒絶を指示する場合、アップデートＴＰＣ設定情報フィールド１０６０は、ヌルデータ（ｎｕｌｌ  ｄａｔａ）を含むことができる。
【０１０９】
本発明の実施例によると、ＴＰＣベースの動作に対する設定手順を実行する時、ＴＰＣ  ＳＴＡチャネルだけでなく、ＴＰＣベースの動作をサポートする時間区間に対する設定も共に実行することができる。このような場合、ＴＰＣ設定要求フレームは、ＴＰＣ時間リソース要求フィールドをさらに含むことができる。ＴＰＣ時間リソース要求フィールドは、ＴＰＣ  ＳＴＡにより要求されるＴＰＣ  ＳＴＡ時間リソースに対する情報を含むことができる。また、ＴＰＣ設定応答フレームは、ＴＰＣ時間リソース要求フィールドは、ＴＰＣ  ＳＴＡにより要求されたＴＰＣ  ＳＴＡ時間リソースに対する受諾／拒絶／アップデートできるか否かに対する情報をさらに含むことができる。
【０１１０】
図１１は、本発明の実施例に係るＡＰのＣＣＡ閾値設定方法を示す概念図である。
【０１１１】
図１１では、ＡＰがＢＳＳに含まれるＳＴＡのＣＣＡ閾値を設定する方法を開示する。ＡＰは、ＢＳＳに含まれるＳＴＡのＣＣＡ閾値を同じように設定してＢＳＳ単位でＣＣＡ閾値を設定したり、ＳＴＡ別にＣＣＡ閾値を設定したりすることができる。ＢＳＳ単位で設定されるＣＣＡ閾値は、ＢＳＳのＣＣＡ閾値という用語で表現されることができる。
【０１１２】
図１１を参照すると、ＡＰは、ＢＳＳの通信環境に基づいてＢＳＳのＣＣＡ閾値を決定することができる。また、ＡＰは、ＳＴＡ別通信環境に基づいてＳＴＡのＣＣＡ閾値を決定することもできる。
【０１１３】
例えば、ＢＳＳ内のチャネル状態によってＢＳＳのＣＣＡ閾値が決定されることができる。即ち、ＢＳＳのＣＣＡ閾値は、設定可能な（ｃｏｎｆｉｇｕｒａｂｌｅ）値である。例えば、ＣＣＡ閾値（ＢＳＳのＣＣＡ閾値またはＳＴＡのＣＣＡ閾値）は、ＢＳＳアイドル比率／部分（ＢＳＳ  ｉｄｌｅ  ｒａｔｉｏ／ｐｏｒｔｉｏｎ）１１００、ＭＡＣ状態情報（ＭＡＣ  ｓｔａｔｅ  ｉｎｆｏｒｍａｔｉｏｎ）１１２０、ＳＴＡ別距離／パスロス（ｄｉｓｔａｎｃｅ／ｐａｔｈ  ｌｏｓｓ）またはＳＴＡ別ジオメトリ（ｇｅｏｍｅｔｒｙ）情報１１４０のうち少なくとも一つの情報に基づいて決定されることができる。
【０１１４】
ＢＳＳアイドル比率／部分１１００は、ＢＳＳのダウンリンク送信及び／またはアップリンク送信に対する送信機会（Ｔｘ  ｏｐｐｏｒｔｕｎｉｔｙ）に基づいて決定されることができる。
【０１１５】
複数のＢＳＳの共存環境では、ＢＳＳ間の相互干渉が発生できる。特定ＢＳＳ内でＳＴＡを除外した他のＳＴＡ及びＡＰがチャネルアクセスまたはデータ送信を試みなくても、特定ＢＳＳ内でＳＴＡは、他のＢＳＳ（例えば、重なったＢＳＳ（ｏｖｅｒｌａｐｐｅｄ  ｂａｓｉｃ  ｓｅｒｖｉｃｅ  ｓｅｔ）による干渉を受けることができる。
【０１１６】
例えば、ＳＴＡ（または、ＡＰ）（以下、ＳＴＡと仮定して説明する）は、チャネルアクセスのために媒体がアイドル（ｉｄｌｅ）かビジーかに対して判断できる。具体的には、ＳＴＡは、ペンディングアップリンクデータ（または、送信パケット）の送信のためにＣＣＡ閾値に基づいて媒体のアイドルであるか否かを判断することができる。ＳＴＡは、ＣＣＡ閾値より大きいまたは同じ強度の信号が媒体を介してセンシングされる場合、媒体をビジーと判断できる。それに対し、ＳＴＡは、ＣＣＡ閾値より小さい強度の信号が媒体を介してセンシングされる場合、媒体をアイドルと判断できる。ＳＴＡの媒体に対する判断の結果、媒体がアイドルの場合、ＳＴＡは、アップリンクフレームをＡＰに送信できる。即ち、ＳＴＡは、ＣＣＡ閾値を基準にしてＣＣＡ比較後、実際送信機会を有するようになる。したがって、ＳＴＡにより設定されたＣＣＡ閾値の大きさによってＳＴＡの媒体の状態（ビジー、アイドル）に対する判断が変わることができる。
【０１１７】
ＳＴＡ（または、ＡＰ）は、チャネルアクセス時、媒体のアイドルできるか否かに基づいてＢＳＳアイドル比率／部分１１００を決定することができる。
【０１１８】
ＡＰが特定期間の間にＢＳＳアイドル比率／部分１１００を測定することもできる。または、ＡＰは、ＢＳＳコーディネータ（ｃｏｏｒｄｉｎａｔｏｒ）及びネットワーク管理部（ｎｅｔｗｏｒｋ  ｍａｎａｇｅｒ）からＢＳＳアイドル比率／部分１１００に対する情報を取得することもできる。例えば、ＢＳＳコーディネータ及びネットワーク管理部は、ＢＳＳ内のＳＴＡからＢＳＳアイドル比率／部分１１００に対する情報を取得し、ＡＰに送信できる。ＡＰは、ＢＳＳアイドル比率／部分１１００に基づいてＢＳＳのＣＣＡ閾値を決定（または、制御）することができる。
【０１１９】
ＢＳＳ間のＣＣＡ閾値は、ＢＳＳ間に相互共有されることができる。例えば、複数のＢＳＳは、ＥＳＳ（ｅｘｔｅｎｄｅｄ  ｓｅｒｖｉｃｅ  ｓｅｔ）に含まれることができる。ＥＳＳは、ＤＳ（ｄｉｓｔｒｉｂｕｔｉｏｎ  ｓｙｓｔｅｍ）により連結された同じＳＳＩＤ（ｓｅｒｖｉｃｅ  ｓｅｔ  ｉｄｅｎｔｉｆｉｅｒ）を有するＢＳＳの集合である。即ち、ＥＳＳ内に含まれるＳＴＡは、同じＣＣＡ閾値に基づいて動作できる。
【０１２０】
ＢＳＳに含まれるＡＰは、ビーコンフレームにＣＣＡ閾値に対する情報を含んで送信でき、ＢＳＳ内のＳＴＡは、ビーコンフレームに基づいてＣＣＡ閾値に対する情報を取得することができる。また、他のＢＳＳ（隣接ＢＳＳ）内のＳＴＡも、ＢＳＳのＣＣＡ閾値に対する情報をビーコンフレームを介してオーバーヒアできる。ビーコンフレームを受信しないＳＴＡのためにプローブ応答フレームにＣＣＡ閾値に対する情報が含まれることもできる。または、端末とＡＰとの間の結合手順で送信される結合応答フレームに、ＣＣＡ閾値に対する情報が含まれることもできる。
【０１２１】
また、ＡＰは、ＢＳＳ内のＳＴＡにより送信されるＭＡＣ状態情報１１２０に基づいてＣＣＡ閾値を決定することができる。例えば、ＳＴＡは、ＭＡＣ状態情報１１２０をＡＰに送信できる。ＭＡＣ状態情報１１２０は、アップリンクフレームの再送信回数、パケット（または、アップリンクデータ）の送信及び／または受信の成功確率、接続及びパケット（または、アップリンクデータ）送信ディレイなどに対する情報のうち少なくとも一つの情報を含むことができる。
【０１２２】
また、ＡＰは、ＳＴＡのＭＡＣ状態情報１１２０に基づいてＢＳＳのＣＣＡ閾値を決定（または、アップデート）することができる。例えば、ＳＴＡがパケット（または、アップリンクフレーム）の送信機会を持続的に取得しているが、実際パケット（アップリンクフレーム）に対する送信の失敗が増加する場合、ＳＴＡのアップリンクフレームの再送信回数は持続的に増加できる。ＳＴＡのアップリンクフレームの再送信回数が増加する場合、ＡＰは、ＢＳＳのＣＣＡ閾値を減少させることができる。ＢＳＳのＣＣＡ閾値が減少される場合、ＢＳＳ内のＳＴＡの媒体のセンシング感度が増加できる。このような場合、ＳＴＡは、他のＳＴＡのアップリンクフレームの送信に対してより敏感にセンシングすることができるため、ＢＳＳ内のフレーム間の衝突による送信失敗は減少できる。
【０１２３】
他の例として、ＳＴＡの接続及びパケット（または、アップリンクフレーム）のディレイが増加する場合を仮定することができる。このような場合、ＡＰは、ＢＳＳのＣＣＡ閾値を増加させることができる。即ち、ＳＴＡの媒体に対するセンシング感度により媒体が取得されない場合、媒体に対するセンシング感度を低くするためにＢＳＳのＣＣＡ閾値を増加させることができる。
【０１２４】
ＡＰは、ＳＴＡのＭＡＣ状態情報１１２０に基づいてＢＳＳのＣＣＡ閾値を決定（または、アップデート）することもできるが、ＢＳＳ内のＳＴＡ別にＳＴＡのＣＣＡ閾値を決定（または、アップデート）することもできる。例えば、ＢＳＳ内の含まれている特定ＳＴＡのアップリンクフレームの再送信回数が増加する場合、ＡＰは、特定ＳＴＡのＣＣＡ閾値を減少させることができる。他の例として、ＢＳＳに含まれる特定ＳＴＡの接続及びパケット（または、アップリンクフレーム）のディレイが増加する場合を仮定することができる。このような場合、ＡＰは、特定ＳＴＡのＣＣＡ閾値を増加させることができる。
【０１２５】
また、ＡＰは、ＳＴＡ別距離／パスロスまたはＳＴＡ別ジオメトリ情報（ＳＴＡ位置情報）１１４０に基づいてＢＳＳに含まれるＳＴＡの各々に対するＣＣＡ閾値を決定することもできる。ＡＰと近い距離に位置したＳＴＡ（ＢＳＳの中心に位置したＳＴＡ）は、相対的に隣接ＢＳＳ（または、ＡＰ）による干渉が少なく、ＡＰと遠い距離に位置したＳＴＡ（または、ＢＳＳのエッジ（ｅｄｇｅ）に位置したＳＴＡ）は、相対的に隣接ＢＳＳ（または、ＡＰ）による干渉が大きい。このような場合、ＢＳＳ内で同じＣＣＡ閾値が適用される場合、ＢＳＳのエッジに位置した端末は、ＢＳＳの中心に位置したＳＴＡより相対的にパケット送信機会が少ない。したがって、ＡＰは、ＳＴＡの位置情報（または、ＳＴＡの信号強度（例えば、ＲＳＳＩ（ｒｅｃｅｉｖｅｄ  ｓｉｇｎａｌ  ｓｔｒｅｎｇｔｈ  ｉｎｄｉｃａｔｉｏｎ））、ＳＴＡにより使われるＭＣＳ（ｍｏｄｕｌａｔｉｏｎ  ａｎｄ  ｃｏｄｉｎｇ  ｓｃｈｅｍｅ）等）に基づいてＣＣＡ閾値を異なるように設定できる。
【０１２６】
例えば、ＡＰは、ＳＴＡにより送信されるアップリンクフレーム送信強度と受信強度に対する情報、ＳＴＡのＭＣＳ分布（ｄｉｓｔｒｉｂｕｔｉｏｎ）に対する情報に基づいてＣＣＡ閾値を決定することができる。
【０１２７】
ＡＰは、ＳＴＡがＢＳＳのエッジに位置したりＳＴＡが持続的に低いＭＣＳを使用したりする場合、ＣＣＡ閾値を高くすることができる。即ち、ＳＴＡの媒体センシングの感度を低くしてＳＴＡの送信機会を高くすることができる。それに対し、ＳＴＡがＢＳＳの中心に位置したりＳＴＡが持続的に高いＭＣＳを使用したりして、送信率は高いが、パケットエラー率が高い。このような場合、ＡＰは、ＣＣＡ閾値を低くすることができる。
【０１２８】
図１２は、本発明の実施例に係るＡＰによるＳＴＡのＣＣＡ閾値及び送信範囲の調整方法を示す概念図である。
【０１２９】
ＢＳＳのエッジに位置したＳＴＡによる送信は、隣接ＢＳＳに干渉になることができる。したがって、ＢＳＳのエッジに位置したＳＴＡのＣＣＡ閾値を増加させることによってＳＴＡの媒体のセンシングの感度を減少させることは、システム性能を劣化させることができる。したがって、ＢＳＳのエッジに位置したＳＴＡは、ＴＰＣベースの動作に基づいて隣接ＢＳＳに対する干渉を減少させることができる。
【０１３０】
ＡＰは、ＢＳＳエッジに位置したり隣接ＢＳＳと重なった位置のＳＴＡのＣＣＡ閾値を増加させることによってＳＴＡの送信機会（または、チャネルアクセス機会）を増加させることができる。ＳＴＡのＣＣＡ閾値を増加させる場合、ＳＴＡの媒体センシングの感度が減少し、ＳＴＡの送信機会（または、チャネルアクセス機会）は増加されることができる。本発明の実施例によると、ＡＰは、ＳＴＡに対するＣＣＡ閾値を増加させると同時に、送信パワーに対する制御を実行して隣接ＢＳＳに対する干渉を減少させることができる。ＡＰは、ＳＴＡの送信パワーを減少させることによってＳＴＡによる干渉範囲を減少させることができる。
【０１３１】
また、ＡＰは、前述した図５乃至図１０のように、ＴＰＣ  ＳＴＡとｎｏｎ−ＴＰＣ  ＳＴＡに対して互いに異なる送信リソースを割り当てることができる。例えば、ＡＰは、ｎｏｎ−ＴＰＣ  ＳＴＡのための時間リソースとＴＰＣ  ＳＴＡのための時間リソースが重ならないように設定できる。または、ＡＰは、ｎｏｎ−ＴＰＣ  ＳＴＡのためのチャネルとＴＰＣ  ＳＴＡのためのチャネルが重ならないように設定することもできる。
【０１３２】
図１２の上段を参照すると、ＡＰは、ＴＰＣ  ＳＴＡであるＳＴＡ１  １２１０のＣＣＡ閾値を−７２ｄＢｍに増加させ、ＳＴＡ１  １２１０の送信パワーを減少させることができる。また、ＡＰは、ＴＰＣ  ＳＴＡであるＳＴＡ１  １２１０とｎｏｎ−ＴＰＣ  ＳＴＡであるＳＴＡ３  １２３０の各々のアップリンクデータ送信のための時間リソースが重ならないように設定できる。このような方法を使用する場合、ＳＴＡ１  １２１０に対する送信機会は増加し、ＳＴＡ１  １２１０による隣接ＢＳＳに対する干渉は減少できる。また、ＳＴＡ１  １２１０のアップリンクフレームの送信のための時間リソースを別途に割り当てることによって、ＳＴＡ１  １２１０の送信カバレッジ減少によるＢＳＳ内でのフレーム間の衝突可能性が減少されることができる。
【０１３３】
図１２の下段を参照すると、ＡＰは、ＴＰＣ  ＳＴＡであるＳＴＡ２  １２２０のＣＣＡ閾値を−７２ｄＢｍに増加させて、ＳＴＡ２  １２２０の送信パワーを減少させることができる。また、ＡＰは、ＴＰＣ  ＳＴＡであるＳＴＡ２  １２２０とｎｏｎ−ＴＰＣ  ＳＴＡであるＳＴＡ４  １２４０の各々のアップリンクデータ送信のためのチャネルリソースが重ならないように設定できる。このような方法を使用する場合、ＳＴＡ２  １２２０に対する送信機会は増加し、ＳＴＡ２  １２２０による隣接ＢＳＳに対する干渉は減少できる。また、ＳＴＡ２  １２２０のアップリンクフレームの送信のためのチャネルを別途に割り当てることによって、ＳＴＡ２  １２２０の送信カバレッジ減少によるＢＳＳ内でのフレーム間の衝突可能性が減少されることができる。
【０１３４】
本発明の実施例によると、ＴＰＣ  ＳＴＡのＣＣＡ閾値に基づいてＴＰＣ  ＳＴＡの送信パワーが決定されたり、ＴＰＣ  ＳＴＡの送信パワーに基づいてＴＰＣ  ＳＴＡのＣＣＡ閾値が決定されたりすることができる。即ち、ＴＰＣ  ＳＴＡに設定されるＣＣＡ閾値とＴＰＣ  ＳＴＡの送信パワーは、一定の関係に基づいて従属的に決定されることができる。例えば、ＴＰＣ  ＳＴＡの送信パワーが以前の値に比べて減少すると、減少したほどＴＰＣ  ＳＴＡのＣＣＡ閾値が増加することがある。それに対し、ＴＰＣ  ＳＴＡの送信パワーが以前の値に比べて増加すると、増加したほどＴＰＣ  ＳＴＡのＣＣＡ閾値が減少することができる。
【０１３５】
即ち、前記のようなＴＰＣ  ＳＴＡの動作は、一つのＢＳＳ内で位置した相対的に短い送信及び受信範囲を有する仮想スモールＢＳＳ（ｖｉｒｔｕａｌ  ｓｍａｌｌ  ＢＳＳ）が存在する場合の動作と類似する。このようなＡＰのＴＰＣ  ＳＴＡに対する制御に基づいて密集されたマルチＢＳＳ環境で効率的にＳＴＡの送信または受信を調節することができる。
【０１３６】
図５乃至図１０で開示されたＴＰＣ  ＳＴＡとｎｏｎ−ＴＰＣ  ＳＴＡに対して互いに異なる送信リソースを割り当てる方法、図１１で開示したＡＰベースのＣＣＡ閾値設定方法、図１２で開示したＡＰによるＳＴＡのＣＣＡ閾値及び送信範囲の調整方法は、各々、使われることもでき、各方法が混合されて無線ＬＡＮシステムのために使われることもできる。前述した方法は、システム環境に合わせて適切に選択されて運用されることができる。
【０１３７】
図１３は、本発明の実施例に係るＡＰによるＳＴＡのＣＣＡ閾値及び送信カバレッジの調整方法を示す概念図である。
【０１３８】
図１３では、ＴＰＣ  ＳＴＡ１３２０とｎｏｎ−ＴＰＣ  ＳＴＡ１３４０との間の通信リソース分配の公正性（ｆａｉｒｎｅｓｓ）のためのＡＰによるＴＰＣ  ＳＴＡ１３２０のＣＣＡ閾値及び送信範囲の調整方法が開示される。ｎｏｎ−ＴＰＣ  ＳＴＡ１３４０は、ＴＰＣベースの動作をサポートしないレガシＳＴＡである。
【０１３９】
図１３を参照すると、ＢＳＳ内でＴＰＣ  ＳＴＡ１３２０とｎｏｎ−ＴＰＣ  ＳＴＡ１３４０が動作できる。ＡＰがＴＰＣ  ＳＴＡ１３２０のＣＣＡ閾値を相対的に高く設定する場合（例えば、−７２ｄＢｍ）、ＴＰＣ  ＳＴＡ１３２０の媒体センシングの感度が減少できる。このような場合、ＴＰＣ  ＳＴＡ１３２０は、ｎｏｎ−ＴＰＣ  ＳＴＡ１３４０より相対的に多くの送信機会を有することができる。それに対し、ｎｏｎ−ＴＰＣ  ＳＴＡ１３４０に対するＣＣＡ閾値が相対的に低く設定される場合（例えば、−８２ｄＢｍ）、ＴＰＣ  ＳＴＡ１３２０の媒体センシングの感度が増加できる。このような場合、ＴＰＣ  ＳＴＡ１３２０は、ｎｏｎ−ＴＰＣ  ＳＴＡ１３４０より相対的に少ない送信機会を有することができる。
【０１４０】
ＡＰ１３００は、ｎｏｎ−ＴＰＣ  ＳＴＡ１３４０とＴＰＣ  ＳＴＡ１３２０との間の通信リソース分配の公正性（ｆａｉｒｎｅｓｓ）のためにＴＰＣ  ＳＴＡ１３２０の送信パワーを減少させることができる。ＴＰＣ  ＳＴＡ１３２０の送信パワーが減少される場合、ＴＰＣ  ＳＴＡ１３２０の送信カバレッジが減少されることができ、他のｎｏｎ−ＴＰＣ  ＳＴＡ１３４０に対する干渉は減少されることができる。即ち、ＡＰ１３００は、ＴＰＣ  ＳＴＡ１３２０の送信パワーを制御することができ、ｎｏｎ−ＴＰＣ  ＳＴＡ１３４０によりセンシングされるＴＰＣ  ＳＴＡ１３２０のアップリンクフレームは減少されることができる。したがって、ｎｏｎ−ＴＰＣ  ＳＴＡ１３４０の送信機会は、相対的に増加されることができる。
【０１４１】
送信パワーは、ＣＣＡ閾値（または、ＣＣＡ  ｌｅｖｅｌ）の増加によって減少されることができる。例えば、ｘｄＢほどＣＣＡ閾値間の差が存在する場合、ＣＣＡレベルの差を送信パワーに適用することで送信パワーがｘｄＢほど減少されることができる。または、送信パワーは、ＣＣＡ閾値間の差を入力値とする関数に基づいて決定されることもできる。
【０１４２】
例えば、送信パワーレベル（ｔｒａｎｓｍｉｔ  ｐｏｗｅｒ  ｌｅｖｅｌ）Ｐは、ｆ（ｘ）＋ａである。ｆ（ｘ）は、ＣＣＡ閾値間の差を入力値とする関数であり、ｘは、ＴＰＣ  ＳＴＡ１３２０とｎｏｎ−ＴＰＣ  ＳＴＡ１３４０との間のＣＣＡ閾値間の差である。ａは、ＢＳＳまたはＢＳＳ範囲内のＳＴＡの数に基づいて決定されるシステム変数である。
【０１４３】
例えば、ｎｏｎ−ＴＰＣ  ＳＴＡ１３４０のＣＣＡ閾値は−８２ｄＢｍであり、ＴＰＣ  ＳＴＡ１３２０のＣＣＡ閾値は−７２ｄＢｍである場合、ＴＰＣ  ＳＴＡ１３２０の送信パワーレベルは、ｎｏｎ−ＴＰＣ  ＳＴＡ１３４０の送信パワーレベルと１０ｄＢの差を有するように決定されることができ、他のシステム変数を考慮して０〜１０ｄＢの差を有するように決定されることができる。
【０１４４】
ＴＰＣ  ＳＴＡ１３２０の送信パワーレベルとｎｏｎ−ＴＰＣ  ＳＴＡ１３４０の送信パワーレベルが１０ｄＢの差を有するように決定される場合、ｎｏｎ−ＴＰＣ  ＳＴＡ１３４０の送信パワーがＰ（ｄＢｍ）の時、ＴＰＣ  ＳＴＡ１３２０の送信パワーはＰ−１０（ｄＢｍ）である。
【０１４５】
もし、ＢＳＳ内の複数のＳＴＡの各々に対してＣＣＡ閾値が設定される場合（または、複数のＳＴＡの各々に対してユーザ特定ＣＣＡ閾値が適用される場合）、複数のＳＴＡの各々の送信パワーは、複数のＳＴＡの各々に対して設定されたＣＣＡ閾値（または、ユーザ特定ＣＣＡ閾値）に基づいて決定されることができる。
【０１４６】
図１４は、本発明の実施例に係るフレームの送信のためのＰＰＤＵフォーマットを示す概念図である。
【０１４７】
図１４では、本発明の実施例に係るＰＰＤＵフォーマットに対して開示する。図１２で開示されるＰＰＤＵフォーマットは、前述したフレーム（例えば、ビーコンフレーム、ＴＰＣ設定要求フレーム、ＴＰＣ設定応答フレーム等）を伝達するために使われることができる。
【０１４８】
図１４の上段を参照すると、ダウンリンクＰＰＤＵのＰＨＹヘッダは、Ｌ−ＳＴＦ（ｌｅｇａｃｙ−ｓｈｏｒｔ  ｔｒａｉｎｉｎｇ  ｆｉｅｌｄ）、Ｌ−ＬＴＦ（ｌｅｇａｃｙ−ｌｏｎｇ  ｔｒａｉｎｉｎｇ  ｆｉｅｌｄ）、Ｌ−ＳＩＧ（ｌｅｇａｃｙ−ｓｉｇｎａｌ）、ＨＥ−ＳＩＧ  Ａ（ｈｉｇｈ  ｅｆｆｉｃｉｅｎｃｙ−ｓｉｇｎａｌ  Ａ）、ＨＥ−ＳＴＦ（ｈｉｇｈ  ｅｆｆｉｃｉｅｎｃｙ−ｓｈｏｒｔ  ｔｒａｉｎｉｎｇ  ｆｉｅｌｄ）、ＨＥ−ＬＴＦ（ｈｉｇｈ  ｅｆｆｉｃｉｅｎｃｙ−ｌｏｎｇ  ｔｒａｉｎｉｎｇ  ｆｉｅｌｄ）、ＨＥ−ＳＩＧ  Ｂ（ｈｉｇｈ  ｅｆｆｉｃｉｅｎｃｙ−ｓｉｇｎａｌ−Ｂ）を含むことができる。ＰＨＹヘッダにおいて、Ｌ−ＳＩＧまではレガシ部分（ｌｅｇａｃｙ  ｐａｒｔ）と、Ｌ−ＳＩＧ以後のＨＥ（ｈｉｇｈ  ｅｆｆｉｃｉｅｎｃｙ）部分（ＨＥ  ｐａｒｔ）と、に区分されることができる。
【０１４９】
Ｌ−ＳＴＦ１４００は、短いトレーニングＯＦＤＭシンボル（ｓｈｏｒｔ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＳＴＦ１４００は、フレーム探知（ｆｒａｍｅ  ｄｅｔｅｃｔｉｏｎ）、ＡＧＣ（ａｕｔｏｍａｔｉｃ  ｇａｉｎ  ｃｏｎｔｒｏｌ）、ダイバーシティ探知（ｄｉｖｅｒｓｉｔｙ  ｄｅｔｅｃｔｉｏｎ）、コース周波数／時間同期化（ｃｏａｒｓｅ  ｆｒｅｑｕｅｎｃｙ／ｔｉｍｅ  ｓｙｎｃｈｒｏｎｉｚａｔｉｏｎ）のために使われることができる。
【０１５０】
Ｌ−ＬＴＦ１４１０は、長いトレーニングＯＦＤＭシンボル（ｌｏｎｇ  ｔｒａｉｎｉｎｇ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ  ｓｙｍｂｏｌ）を含むことができる。Ｌ−ＬＴＦ１４１０は、ファイン周波数／時間同期化（ｆｉｎｅ  ｆｒｅｑｕｅｎｃｙ／ｔｉｍｅ  ｓｙｎｃｈｒｏｎｉｚａｔｉｏｎ）及びチャネル予測のために使われることができる。
【０１５１】
Ｌ−ＳＩＧ１４２０は、制御情報を送信するために使われることができる。Ｌ−ＳＩＧ１４２０は、データ送信率（ｒａｔｅ）、データ長さ（ｌｅｎｇｔｈ）に対する情報を含むことができる。前述したように、レガシＳＴＡは、Ｌ−ＳＩＧに含まれる情報に基づいてＮＡＶを設定することができる。
【０１５２】
ＨＥ−ＳＩＧ  Ａ１４３０は、ＰＰＤＵを受信するＳＴＡを指示するための情報を含むことができる。例えば、ＨＥ−ＳＩＧ  Ａ１４３０は、ＰＰＤＵを受信する特定ＳＴＡの識別子、特定ＳＴＡのグループを指示するための情報を含むことができる。また、ＨＥ−ＳＩＧ  Ａ１４３０は、ＰＰＤＵがＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）またはＭＩＭＯ（ｍｕｌｔｉｐｌｅ  ｉｎｐｕｔ  ｍｕｌｔｉｐｌｅ  ｏｕｔｐｕｔ）に基づいて送信される場合、ＳＴＡに対するリソース割当情報も含まれることができる。
【０１５３】
または、ＨＥ−ＳＩＧ  Ａ１４３０は、ＴＰＣ  ＳＴＡのための送信リソース（例えば、ＴＰＣ  ＳＴＡ時間リソース、ＴＰＣ  ＳＴＡチャネル等）及びＴＰＣ  ＳＴＡの送信パワーに対する情報を含むこともできる。
【０１５４】
また、ＨＥ−ＳＩＧ  Ａ１４３０は、ＢＳＳ識別情報のためのカラービット（ｃｏｌｏｒ  ｂｉｔｓ）情報、帯域幅（ｂａｎｄｗｉｄｔｈ）情報、テールビット（ｔａｉｌ  ｂｉｔ）、ＣＲＣビット、ＨＥ−ＳＩＧ  Ｂ１４６０に対するＭＣＳ（ｍｏｄｕｌａｔｉｏｎ  ａｎｄ  ｃｏｄｉｎｇ  ｓｃｈｅｍｅ）情報、ＨＥ−ＳＩＧ  Ｂ１４６０のためのシンボル個数情報、ＣＰ（ｃｙｃｌｉｃ  ｐｒｅｆｉｘ）（または、ＧＩ（ｇｕａｒｄ  ｉｎｔｅｒｖａｌ））長さ情報を含むこともできる。
【０１５５】
ＨＥ−ＳＴＦ１４４０は、ＭＩＭＯ（ｍｕｌｔｉｌｐｌｅ  ｉｎｐｕｔ  ｍｕｌｔｉｐｌｅ  ｏｕｔｐｕｔ）環境またはＯＦＤＭＡ環境で自動利得制御推定（ａｕｔｏｍａｔｉｃ  ｇａｉｎ  ｃｏｎｔｒｏｌ  ｅｓｔｉｍａｔｉｏｎ）を向上させるために使われることができる。
【０１５６】
ＨＥ−ＬＴＦ１４５０は、ＭＩＭＯ環境またはＯＦＤＭＡ環境でチャネルを推定するために使われることができる。
【０１５７】
ＨＥ−ＳＩＧ  Ｂ１４６０は、各ＳＴＡに対するＰＳＤＵ（Ｐｈｙｓｉｃａｌ  ｌａｙｅｒ  ｓｅｒｖｉｃｅ  ｄａｔａ  ｕｎｉｔ）の長さＭＣＳに対する情報及びテールビットなどを含むことができる。また、ＨＥ−ＳＩＧ  Ｂ１４６０は、ＰＰＤＵを受信するＳＴＡに対する情報、ＯＦＤＭＡベースのリソース割当（ｒｅｓｏｕｒｃｅ  ａｌｌｏｃａｔｉｏｎ）情報（または、ＭＵ−ＭＩＭＯ情報）を含むこともできる。ＨＥ−ＳＩＧ  Ｂ１４６０にＯＦＤＭＡベースのリソース割当情報（または、ＭＵ−ＭＩＭＯ関連情報）が含まれる場合、ＨＥ−ＳＩＧ  Ａ１４３０にはリソース割当情報が含まれないこともある。
【０１５８】
ＨＥ−ＳＴＦ１４４０及びＨＥ−ＳＴＦ１４４０以後のフィールドに適用されるＩＦＦＴの大きさとＨＥ−ＳＴＦ１４４０以前のフィールドに適用されるＩＦＦＴの大きさは、互いに異なる。例えば、ＨＥ−ＳＴＦ１４４０及びＨＥ−ＳＴＦ１４４０以後のフィールドに適用されるＩＦＦＴの大きさは、ＨＥ−ＳＴＦ１２４０以前のフィールドに適用されるＩＦＦＴの大きさより４倍大きい。ＳＴＡは、ＨＥ−ＳＩＧ  Ａ１４３０を受信し、ＨＥ−ＳＩＧ  Ａ１４３０に基づいてダウンリンクＰＰＤＵの受信指示を受けることができる。このような場合、ＳＴＡは、ＨＥ−ＳＴＦ１４４０及びＨＥ−ＳＴＦ１４４０以後フィールドから変更されたＦＦＴサイズに基づいてデコーディングを実行することができる。それに対し、ＳＴＡがＨＥ−ＳＩＧ  Ａ１４３０に基づいてダウンリンクＰＰＤＵの受信指示を受けていない場合、ＳＴＡは、デコーディングを中断し、ＮＡＶ（ｎｅｔｗｏｒｋ  ａｌｌｏｃａｔｉｏｎ  ｖｅｃｔｏｒ）を設定することができる。ＨＥ−ＳＴＦ１４４０のＣＰ（ｃｙｃｌｉｃ  ｐｒｅｆｉｘ）は、他のフィールドのＣＰより大きい大きさを有することができ、このようなＣＰ区間の間に、ＳＴＡは、ＦＦＴサイズを変化させてダウンリンクＰＰＤＵに対するデコーディングを実行することができる。
【０１５９】
図１４の上段で開示されたＰＰＤＵのフォーマットを構成するフィールドの順序は、変わることもできる。例えば、図１４の中段に開示されたように、ＨＥ部分のＨＥ−ＳＩＧ  Ｂ１４１５がＨＥ−ＳＩＧ  Ａ１４０５の直後に位置することもできる。ＳＴＡは、ＨＥ−ＳＩＧ  Ａ１４０５及びＨＥ−ＳＩＧ  Ｂ１４１５までデコーディングし、必要な制御情報を受信し、ＮＡＶを設定することができる。同様に、ＨＥ−ＳＴＦ１４２５及びＨＥ−ＳＴＦ１４２５以後のフィールドに適用されるＩＦＦＴの大きさは、ＨＥ−ＳＴＦ１４２５以前のフィールドに適用されるＩＦＦＴの大きさと異なる。
【０１６０】
ＳＴＡは、ＨＥ−ＳＩＧ  Ａ１４０５及びＨＥ−ＳＩＧ  Ｂ１４１５を受信することができる。ＨＥ−ＳＩＧ  Ａ１４０５に基づいてＰＰＤＵの受信が指示される場合、ＳＴＡは、ＨＥ−ＳＴＦ１４２５からはＦＦＴサイズを変化させてＰＰＤＵに対するデコーディングを実行することができる。それに対し、ＳＴＡは、ＨＥ−ＳＩＧ  Ａ１４０５を受信し、ＨＥ−ＳＩＧ  Ａ１４０５に基づいてダウンリンクＰＰＤＵの受信が指示されない場合、ＮＡＶ（ｎｅｔｗｏｒｋ  ａｌｌｏｃａｔｉｏｎ  ｖｅｃｔｏｒ）を設定することができる。
【０１６１】
図１４の下段を参照すると、ＤＬ  ＭＵ送信のためのＰＰＤＵフォーマットが開示される。本発明の実施例によると、ＡＰは、ＤＬ  ＭＵ送信のためのＰＰＤＵフォーマットを使用してダウンリンクフレームまたはダウンリンクＰＰＤＵを複数のＳＴＡに送信できる。複数のダウンリンクＰＰＤＵの各々は、互いに異なる送信リソース（周波数リソースまたは空間的ストリーム）を介して複数のＳＴＡの各々に送信されることができる。例えば、ＡＰは、ＤＬ  ＭＵ送信のためのＰＰＤＵフォーマットに基づいて、ＴＰＣ  ＳＴＡチャネルを介してＴＰＣ  ＳＴＡにＴＰＣ  ＳＴＡに対するダウンリンクデータを送信し、ｎｏｎ−ＴＰＣ  ＳＴＡチャネルを介してｎｏｎ−ＴＰＣ  ＳＴＡに対するダウンリンクデータを送信することができる。
【０１６２】
ＰＰＤＵ上でＨＥ−ＳＩＧ  Ｂ１４４５の以前フィールドは、互いに異なる送信リソースの各々でデュプリケートされた形態で送信されることができる。ＨＥ−ＳＩＧ  Ｂ１４４５は、全体送信リソース上でエンコーディングされた形態で送信されることができる。ＨＥ−ＳＩＧ  Ｂ１４４５以後のフィールドは、ＰＰＤＵを受信する複数のＳＴＡの各々のための個別情報を含むことができる。
【０１６３】
ＰＰＤＵに含まれるフィールドが送信リソースの各々を介して各々送信される場合、フィールドの各々に対するＣＲＣがＰＰＤＵに含まれることができる。それに対し、ＰＰＤＵに含まれる特定フィールドが全体送信リソース上でエンコーディングされて送信される場合、フィールドの各々に対するＣＲＣがＰＰＤＵに含まれない。したがって、ＣＲＣに対するオーバーヘッドが減少されることができる。
【０１６４】
ＤＬ  ＭＵ送信のためのＰＰＤＵフォーマットも同様に、ＨＥ−ＳＴＦ１４５５及びＨＥ−ＳＴＦ１４５５以後のフィールドは、ＨＥ−ＳＴＦ１４５５以前のフィールドと異なるＩＦＦＴサイズに基づいてエンコーディングされることができる。したがって、ＳＴＡは、ＨＥ−ＳＩＧ  Ａ１４３５及びＨＥ−ＳＩＧ  Ｂ１４４５を受信し、ＨＥ−ＳＩＧ  Ａ１４３５に基づいてＰＰＤＵの受信指示を受けた場合、ＨＥ−ＳＴＦ１４５５からはＦＦＴサイズを変化させてＰＰＤＵに対するデコーディングを実行することができる。
【０１６５】
図１５は、本発明の実施例が適用されることができる無線装置を示すブロック図である。
【０１６６】
図１５を参照すると、無線装置１５００は、前述した実施例を具現することができるＳＴＡであって、ＡＰ１５００または非ＡＰ  ＳＴＡ（ｎｏｎ−ＡＰ  ｓｔａｔｉｏｎ）（または、ＳＴＡ）１５５０である。
【０１６７】
ＡＰ１５００は、プロセッサ１５１０、メモリ１５２０及びＲＦ部（ｒａｄｉｏ  ｆｒｅｑｕｅｎｃｙ  ｕｎｉｔ）１５３０を含む。
【０１６８】
ＲＦ部１５３０は、プロセッサ１５１０と連結して無線信号を送信／受信することができる。
【０１６９】
プロセッサ１５１０は、本発明で提案された機能、過程及び／または方法を具現することができる。例えば、プロセッサ１５１０は、前述した本発明の実施例によるＡＰの動作を実行するように具現されることができる。プロセッサは、図１乃至図１４の実施例で開示したＡＰの動作を実行することができる。
【０１７０】
例えば、プロセッサ１５１０は、ＴＰＣに基づいて動作するＳＴＡからＴＰＣ設定要求フレームを受信し、ＴＰＣ設定要求フレームに対する応答としてＳＴＡにＴＰＣ設定応答フレームを送信するように具現されることができる。また、プロセッサ１５１０は、ＴＰＣ設定要求フレームに基づいて要求された通信リソースに対する割当及び／またはＴＰＣ設定要求フレームに基づいて要求された送信パワーに対する許可できるか否かを判断するように具現されることができる。プロセッサ１５１０は、ＴＰＣ設定要求フレームに基づいて要求された通信リソース及び要求された送信パワーに基づいて決定されたＴＰＣベースの動作のための通信リソース及び送信パワーに対する情報を含むビーコンフレームを生成するように具現されることができる。
【０１７１】
ＳＴＡ１５５０は、プロセッサ１５６０、メモリ１５７０及びＲＦ部（ｒａｄｉｏ  ｆｒｅｑｕｅｎｃｙ  ｕｎｉｔ）１５８０を含む。
【０１７２】
ＲＦ部１５８０は、プロセッサ１５６０と連結して無線信号を送信／受信することができる。
【０１７３】
プロセッサ１５６０は、本発明で提案された機能、過程及び／または方法を具現することができる。例えば、プロセッサ１５６０は、前述した本発明の実施例によるＳＴＡの動作を実行するように具現されることができる。プロセッサは、図１乃至図１４の実施例でＳＴＡの動作を実行することができる。
【０１７４】
例えば、プロセッサ１５６０は、ＴＰＣ（ｔｒａｎｓｍｉｔ  ｐｏｗｅｒ  ｃｏｎｔｒｏｌ）ベースの動作のために、ＡＰにＴＰＣ設定要求フレームを送信し、ＴＰＣ設定要求フレームに対する応答としてＡＰからＴＰＣ設定応答フレームを受信し、要求されたＴＰＣ  ＳＴＡ通信リソースを介してＡＰにフレームを送信するように具現されることができる。ＴＰＣ設定要求フレームは、ＳＴＡにより要求されたＴＰＣ  ＳＴＡ通信リソースに対する情報を含み、ＴＰＣ設定応答フレームは、要求されたＴＰＣ  ＳＴＡ通信リソースの割当に対する情報を含み、要求されたＴＰＣ  ＳＴＡ通信リソースは、ＴＰＣに基づいて動作しないｎｏｎ−ＴＰＣ  ＳＴＡによる使用が制限されることができる。
【０１７５】
ＴＰＣ設定要求フレームは、ＳＴＡにより要求された送信パワーに対する情報をさらに含み、ＴＰＣ設定応答フレームは、要求された送信パワーの許可に対する情報を含み、ＳＴＡにより送信されるフレームは、要求された送信パワーで送信されることができる。要求された送信パワーの大きさは、前記ｎｏｎ−ＴＰＣ  ＳＴＡの送信パワーの大きさより小さい。
【０１７６】
前記要求されたＴＰＣ  ＳＴＡ通信リソースは、前記ＳＴＡのための時間リソースまたは前記ＳＴＡのためのチャネルである。
【０１７７】
プロセッサ１５１０、１５６０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１５２０、１５７０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１５３０、１５８０は、無線信号を送信及び／または受信する一つ以上のアンテナを含むことができる。
【０１７８】
実施例がソフトウェアで具現される時、前述した技法は、前述した機能を遂行するモジュール（過程、機能など）で具現されることができる。モジュールは、メモリ１５２０、１５７０に格納され、プロセッサ１５１０、１５６０により実行されることができる。メモリ１５２０、１５７０は、プロセッサ１５１０、１５６０の内部または外部にあり、よく知られた多様な手段でプロセッサ１５１０、１５６０と連結されることができる。
【図１】
0006356253.tif 000002
【図２（Ａ）】
0006356253.tif 000003
【図２（Ｂ）】
0006356253.tif 000004
【図３】
0006356253.tif 000005
【図４】
0006356253.tif 000006
【図５】
0006356253.tif 000007
【図６】
0006356253.tif 000008
【図７】
0006356253.tif 000009
【図８】
0006356253.tif 000010
【図９】
0006356253.tif 000011
【図１０】
0006356253.tif 000012
【図１１】
0006356253.tif 000013
【図１２】
0006356253.tif 000014
【図１３】
0006356253.tif 000015
【図１４】
0006356253.tif 000016
【図１５】
0006356253.tif 000017